(57)【特許請求の範囲】
【請求項１】
被写体からの入射光を導く光学系と該光学系により導かれた被写体像を電気信号に変換する撮像素子と外部との通信を行う撮像ユニット側コネクタ部とが設けられた筐体を有する撮像ユニットが着脱可能に配設される凹部を備えるカメラボディであって、
前記凹部は、該凹部に前記撮像ユニットを装着して前記光学系の光軸方向の被写体側から見たときに、前記筐体の背面が対向する背壁部と、前記筐体の左側面が対向する側壁部と、前記筐体の上面が対向する上壁部の三面のみの壁部から構成され、
前記撮像ユニット側コネクタ部に接続されて通信を行うカメラボディ側コネクタ部が前記側壁部に設けられ、
前記背壁部に規制部材が設けられ、
前記撮像ユニットの背面に、前記規制部材が挿入可能な挿入開口と、前記規制部材が当接可能な規制部材当接部とが設けられ、
前記撮像ユニットを前記凹部に配設する際に、前記規制部材が前記挿入開口に挿入された場合には、前記撮像ユニット側コネクタ部と前記カメラボディ側コネクタ部とが接続され、前記規制部材が前記規制部材当接部に当接した場合には、前記撮像ユニット側コネクタ部と前記カメラボディ側コネクタ部とが接続されないことを特徴とするカメラボディ。
【請求項２】
前記規制部材は、前記撮像ユニット側コネクタ部と前記カメラボディ側コネクタ部とが不自然な姿勢角度で接続されるのを回避し、
前記規制部材が前記挿入開口に挿入された場合には、前記撮像ユニットの前記背面と前記カメラボディの前記背壁部とが平行に当接し、前記撮像ユニットの前記側壁部へ向かう向きへの移動に伴って前記撮像ユニット側コネクタ部と前記カメラボディ側コネクタ部とが接続され、
前記規制部材が前記規制部材当接部に当接した場合には、前記撮像ユニットの前記背面と前記カメラボディの前記背壁部とが平行に当接せず、前記撮像ユニット側コネクタ部と前記カメラボディ側コネクタ部とが接続されないことを特徴とする請求項１に記載のカメラボディ。
【請求項３】
前記撮像ユニットの前記側壁部に接近する向きへの移動に伴って、前記撮像ユニット側コネクタ部と前記カメラボディ側コネクタ部とが接続され、
前記撮像ユニットの前記側壁部から離脱する向きへの移動に伴って、前記撮像ユニット側コネクタ部と前記カメラボディ側コネクタ部との接続が解除されることを特徴とする請求項１又は請求項２に記載のカメラボディ。
【請求項４】
前記カメラボディ側コネクタ部は、前記側壁部に設けられた開口部内に配置され、前記撮像ユニット側コネクタ部は、前記筐体の左側面から突出する突出部内に配置され、
前記突出部が前記開口部に嵌合して、前記カメラボディ側コネクタ部が前記撮像ユニット側コネクタ部と接続されていることを特徴とする請求項１ないし請求項３のいずれか１項に記載のカメラボディ。
【請求項５】
前記カメラボディ側コネクタ部は、前記側壁部から突出する突出部内に配置され、前記撮像ユニット側コネクタ部は、前記筐体の左側面に設けられた開口部内に配置され、前記突出部が前記開口部に嵌合して、前記カメラボディ側コネクタ部が前記撮像ユニット側コネクタ部と接続されていることを特徴とする請求項１ないし請求項３のいずれか１項に記載のカメラボディ。
【請求項６】
前記撮像ユニットが前記カメラボディに装着された状態において、前記撮像ユニットを前記カメラボディの背壁部に向けて付勢する付勢部を備えていることを特徴とする請求項１ないし請求項５のいずれか１項に記載のカメラボディ。
【請求項７】
前記付勢部は、前記カメラボディの背壁部と前記撮像ユニットの背面とのいずれか一方に形成された係合爪と、
前記カメラボディの背壁部と前記撮像ユニットの背面とのいずれか他方に形成されかつ前記撮像ユニットが前記カメラボディに装着された状態において前記係合爪に対向する係合板部と、
前記係合板部の係合爪に臨む面に設けられかつ前記係合爪と係合して前記撮像ユニットを前記カメラボディの前記背壁部に向けて付勢する付勢バネとを含むことを特徴とする請求項６に記載のカメラボディ。
【請求項８】
前記撮像ユニットが前記カメラボディの前記凹部に配設されかつ前記カメラボディ側コネクタ部と前記撮像ユニット側コネクタ部とが接続されている状態において、
前記規制部材が前記側壁部と前記付勢部との間に配置されることを特徴とする請求項６又は請求項７に記載のカメラボディ。
【請求項９】
前記撮像ユニットが前記カメラボディの凹部に配設されかつ前記カメラボディ側コネクタ部と前記撮像ユニット側コネクタ部とが接続されている状態において、
前記規制部材が前記付勢部よりも前記側壁部に近い位置に配置されることを特徴とする請求項６又は請求項７に記載のカメラボディ。
【請求項１０】
前記撮像ユニットが前記カメラボディの前記凹部に配設されかつ前記カメラボディ側コネクタ部と前記撮像ユニット側コネクタ部とが接続されている状態において、
前記規制部材が、前記側壁部に対して前記撮像ユニットが接近又は離脱する第１方向に対して垂直な方向で見て前記カメラボディ側コネクタ部の略中央に配置されることを特徴とする請求項１ないし請求項９のいずれか１項に記載のカメラボディ。
【請求項１１】
前記撮像ユニットが前記カメラボディの凹部に配設されかつ前記カメラボディ側コネクタ部と前記撮像ユニット側コネクタ部とが接続されている状態において、
前記規制部材が前記側壁部に対して撮像ユニットが接近又は離脱する第１方向に対して垂直な方向で見て前記凹部の略中央に配置されていることを特徴とする請求項１ないし請求項９のいずれか１項に記載のカメラボディ。
【請求項１２】
前記付勢部は、前記側壁部に対して前記撮像ユニットが接近又は離脱する第１方向に対して垂直な方向に間隔を設けて配置された第１付勢部と第２付勢部とを含み、
前記規制部材は、前記第１方向に対して略垂直な方向で見て、前記第１付勢部と前記第２付勢部との間の略中央に配置されていることを特徴とする請求項７ないし請求項１１のいずれか１項に記載のカメラボディ。
【請求項１３】
前記撮像ユニット側コネクタ部に対する前記カメラボディ側コネクタ部の位置関係を規制しかつ前記側壁部に対して接近又は離脱する第１方向に前記撮像ユニットを案内するガイド機構が、前記カメラボディの前記背壁部と前記撮像ユニットの背面とに設けられていることを特徴とする請求項１ないし請求項１２のいずれか１項に記載のカメラボディ。
【請求項１４】
前記ガイド機構が、カメラボディ側ガイド機構と撮像ユニット側ガイド機構とからなり、前記撮像ユニット側ガイド機構は、前記撮像ユニットの前記背面に設けられて前記第１方向に対応する方向に延伸するガイド溝を含み、
前記カメラボディ側ガイド機構は、前記カメラボディの前記背壁部に設けられて前記ガイド溝に挿入されるガイド突起を含み、
該ガイド突起は前記第１方向に対して垂直な方向に間隔を開けて配置された第１ガイド突起と第２ガイド突起とを含み、
前記撮像ユニットが前記カメラボディの前記凹部に配設され、前記カメラボディ側コネクタ部と前記撮像ユニット側コネクタ部とが接続されている状態において、
前記規制部材は、前記第１方向に対して垂直な方向で見て前記第１ガイド突起と前記第２ガイド突起との間に配置されていることを特徴とする請求項１３に記載のカメラボディ。
【請求項１５】
前記撮像ユニットの前記挿入開口及び前記ガイド溝が前記撮像ユニット側コネクタ部の側の側面に向かって開放されていることを特徴とする請求項１４に記載のカメラボディ。
【請求項１６】
直方体形状の筐体に光学系と撮像素子とが設けられた撮像ユニットを着脱可能に配設する凹部が設けられ、前記撮像ユニットと一体化されて被写体を撮影する撮像装置として用いられるカメラボディであって、
前記凹部は、該凹部に前記撮像ユニットを装着して前記光学系の光軸方向の被写体側から見たときに、前記筐体の背面が対向する背壁部と、前記筐体の左側面が対向する側壁部と、前記筐体の上面が対向する上壁部の三面のみの壁部から構成され、
前記撮像ユニット側コネクタ部に接続されて通信を行うカメラボディ側コネクタ部が前記側壁部に設けられ、
前記撮像ユニットを前記凹部に配設して前記撮像ユニット側コネクタ部と前記カメラボディ側コネクタ部との接続を行う場合に、両コネクタ部が不自然な姿勢角度で接続されるのを回避するために、前記撮像ユニットと前記背壁部との間の角度を規制する角度規制部材が前記背壁部に設けられていることを特徴とするカメラボディ。
【請求項１７】
前記角度規制部材は、前記撮像ユニットの背面に設けられた角度規制部材当接部と当接して、前記背壁部に対する前記撮像ユニットの角度を規制することを特徴とする請求項１６に記載のカメラボディ。
【請求項１８】
被写体からの入射光を導く光学系と該光学系により導かれた被写体像を電気信号に変換する撮像素子と外部との通信を行う撮像ユニット側コネクタ部とが設けられた筐体を有し、前記撮像ユニット側コネクタ部との間で通信を行うカメラボディ側コネクタ部を備えるカメラボディに着脱可能に配設される撮像ユニットであって、
前記筐体は、該筐体を装着して前記光学系の光軸方向の被写体側から見たときに、前記筐体の背面が対向する前記カメラボディの背壁部と、前記筐体の左側面が対向する前記カメラボディの側壁部と、前記筐体の上面が対向する前記カメラボディの上壁部の三面のみの壁部から構成された凹部に配設され、
前記筐体の背面には規制部材が設けられ、
前記カメラボディ側の前記背壁部には前記規制部材が挿入可能な挿入開口と、前記規制部材が当接可能な規制部材当接部とが設けられ、
前記筐体を前記凹部に配設する際に、前記規制部材が前記挿入開口に挿入された場合には、前記撮像ユニット側コネクタ部と前記カメラボディ側コネクタ部とが接続され、前記規制部材が前記規制部材当接部に当接した場合には、前記撮像ユニット側コネクタ部と前記カメラボディ側コネクタ部とが接続されないことを特徴とする撮像ユニット。
【請求項１９】
前記規制部材は、前記撮像ユニット側コネクタ部と前記カメラボディ側コネクタ部とが不自然な姿勢角度で接続されるのを回避し、
前記規制部材が前記挿入開口に挿入された場合には、前記撮像ユニットの前記背面と前記カメラボディの前記背壁部とが平行に当接し、前記撮像ユニットの前記側壁部へ向かう向きへの移動に伴って前記撮像ユニット側コネクタ部と前記カメラボディ側コネクタ部とが接続され、
前記規制部材が前記規制部材当接部に当接した場合には、前記撮像ユニットの前記背面と前記カメラボディの前記背壁部とが平行に当接せず、前記撮像ユニット側コネクタ部と前記カメラボディ側コネクタ部とが接続されないことを特徴とする請求項１８に記載の撮像ユニット。
【請求項２０】
前記筐体の前記側壁部に接近する向きへの移動に伴って、前記撮像ユニット側コネクタ部と前記カメラボディ側コネクタ部とが接続され、
前記筐体の前記側壁部から離脱する向きへの移動に伴って、前記撮像ユニット側コネクタ部と前記カメラボディ側コネクタ部との接続が解除されることを特徴とする請求項１８又は請求項１９に記載の撮像ユニット。
【請求項２１】
前記撮像ユニット側コネクタ部は、前記筐体の左側面から突出する突出部内に配置され、前記カメラボディ側コネクタ部は、前記側壁部に設けられた開口部内に配置され、
前記突出部が前記開口部に嵌合して、前記カメラボディ側コネクタ部が前記撮像ユニット側コネクタ部と接続されていることを特徴とする請求項１８ないし請求項２０のいずれか１項に記載の撮像ユニット。
【請求項２２】
前記撮像ユニット側コネクタ部は、前記筐体の左側面に設けられた開口部内に配置され、前記カメラボディ側コネクタ部は、前記側壁部から突出する突出部内に配置され、前記突出部が前記開口部に嵌合して、前記カメラボディ側コネクタ部が前記撮像ユニット側コネクタ部と接続されていることを特徴とする請求項１８ないし請求項２０のいずれか１項に記載の撮像ユニット。
【請求項２３】
光学系と撮像素子と撮像ユニット側コネクタ部とが設けられた直方体形状の筐体を有し、前記撮像ユニット側コネクタ部との間で通信を行うカメラボディ側コネクタ部を備えるカメラボディと一体化されて被写体を撮影する撮像装置として用いられる撮像ユニットであって、
前記筐体は、該筐体を装着して前記光学系の光軸方向の被写体側から見たときに、前記筐体の背面が対向する前記カメラボディの背壁部と、前記筐体の左側面が対向する前記カメラボディの側壁部と、前記筐体の上面が対向する前記カメラボディの上壁部の三面のみの壁部から構成された凹部に着脱可能に配設され、
前記筐体を前記凹部に配設して前記撮像ユニット側コネクタ部と前記カメラボディ側コネクタ部との接続を行う場合に、両コネクタ部が不自然な姿勢角度で接続されるのを回避するために、前記筐体と前記背壁部との間の角度を規制する角度規制部材が前記筐体の背面に設けられていることを特徴とする撮像ユニット。
【請求項２４】
前記角度規制部材は、前記カメラボディの背壁部に設けられた角度規制部材当接部と当接して、前記背壁部に対する前記撮像ユニットの角度を規制することを特徴とする請求項２３に記載の撮像ユニット。
【請求項２５】
被写体からの入射光を導く光学系と該光学系により導かれた被写体像を電気信号に変換する撮像素子と外部との通信を行う撮像ユニット側コネクタ部とを有する撮像ユニットと、該撮像ユニットが着脱可能に配設される凹部を備えるカメラボディとからなる撮像装置であって、
前記凹部は、該凹部に前記撮像ユニットを装着して前記光学系の光軸方向の被写体側から見たときに、前記撮像ユニットの背面が対向する背壁部と、前記撮像ユニットの左側面が対向する側壁部と、前記撮像ユニットの上面が対向する上壁部の三面のみの壁部から構成され、
前記撮像ユニット側コネクタ部に接続されて通信を行うカメラボディ側コネクタ部が前記側壁部に設けられ、
前記カメラボディの背壁部と前記撮像ユニットの前記背面とのいずれか一方に規制部材が設けられ、
前記カメラボディの背壁部と前記撮像ユニットの背面とのいずれか他方に、前記規制部材が挿入可能な挿入開口と、前記規制部材が当接可能な規制部材当接部とが設けられ、
前記撮像ユニットを前記凹部に配設する際に、前記規制部材が前記挿入開口に挿入された場合には、前記撮像ユニット側コネクタ部と前記カメラボディ側コネクタ部とが接続され、前記規制部材が前記規制部材当接部に当接した場合には、前記撮像ユニット側コネクタ部と前記カメラボディ側コネクタ部とが接続されないことを特徴とする撮像装置。
【請求項２６】
前記規制部材は、前記撮像ユニット側コネクタ部と前記カメラボディ側コネクタ部とが不自然な姿勢角度で接続されるのを回避し、
前記規制部材が前記挿入開口に挿入された場合には、前記撮像ユニットの前記背面と前記カメラボディの前記背壁部とが平行に当接し、前記撮像ユニットの前記側壁部へ向かう向きへの移動に伴って前記撮像ユニット側コネクタ部と前記カメラボディ側コネクタ部とが接続され、
前記規制部材が前記規制部材当接部に当接した場合には、前記撮像ユニットの前記背面と前記カメラボディの前記背壁部とが平行に当接せず、前記撮像ユニット側コネクタ部と前記カメラボディ側コネクタ部とが接続されないことを特徴とする請求項２５に記載の撮像装置。
【請求項２７】
前記付勢部は、前記カメラボディの背壁部と前記撮像ユニットの背面とのいずれか一方に形成された係合爪と、
前記カメラボディの背壁部と前記撮像ユニットの背面とのいずれか他方に形成されかつ前記撮像ユニットが前記カメラボディに装着された状態において前記係合爪に対向する係合板部と、
前記係合板部の係合爪に臨む面に設けられかつ前記係合爪と係合して前記撮像ユニットを前記カメラボディの前記背壁部に向けて付勢する付勢バネとを含むことを特徴とする請求項２６に記載の撮像装置。
【請求項２８】
前記撮像ユニットが前記カメラボディの前記凹部に配設されかつ前記カメラボディ側コネクタ部と前記撮像ユニット側コネクタ部とが接続されている状態において、
前記規制部材が前記側壁部と前記付勢部との間に配置されることを特徴とする請求項２６又は請求項２７に記載の撮像装置。
【請求項２９】
前記撮像ユニットが前記カメラボディの凹部に配設されかつ前記カメラボディ側コネクタ部と前記撮像ユニット側コネクタ部とが接続されている状態において、
前記規制部材が前記付勢部よりも前記側壁部に近い位置に配置されることを特徴とする請求項２６又は請求項２７に記載の撮像装置。
【請求項３０】
前記撮像ユニットが前記カメラボディの前記凹部に配設されかつ前記カメラボディ側コネクタ部と前記撮像ユニット側コネクタ部とが接続されている状態において、
前記規制部材が、前記側壁部に対して前記撮像ユニットが接近又は離脱する第１方向に対して垂直な方向で見て前記カメラボディ側コネクタ部の略中央に配置されることを特徴とする請求項２５ないし請求項２９のいずれか１項に記載の撮像装置。
【請求項３１】
前記撮像ユニットが前記カメラボディの凹部に配設されかつ前記カメラボディ側コネクタ部と前記撮像ユニット側コネクタ部とが接続されている状態において、
前記規制部材が前記側壁部に対して撮像ユニットが接近又は離脱する第１方向に対して垂直な方向で見て前記凹部の略中央に配置されていることを特徴とする請求項２５ないし請求項２９のいずれか１項に記載の撮像装置。
【請求項３２】
前記付勢部は、前記側壁部に対して前記撮像ユニットが接近又は離脱する第１方向に対して垂直な方向に間隔を設けて配置された第１付勢部と第２付勢部とを含み、
前記角度規制部材は、前記第１方向に対して略垂直な方向で見て、前記第１付勢部と前記第２付勢部との間の略中央に配置されていることを特徴とする請求項２７ないし請求項３１のいずれか１項に記載の撮像装置。
【請求項３３】
前記撮像ユニット側コネクタ部に対する前記カメラボディ側コネクタ部の位置関係を規制しかつ前記側壁部に対して接近又は離脱する第１方向に前記撮像ユニットを案内するガイド機構が、前記カメラボディの前記背壁部と前記撮像ユニットの背面とのいずれか一方に設けられていることを特徴とする請求項２５ないし請求項３２のいずれか１項に記載の撮像装置。
【請求項３４】
前記ガイド機構が、カメラボディ側ガイド機構と撮像ユニット側ガイド機構とからなり、前記撮像ユニット側ガイド機構は、前記撮像ユニットの前記背面に設けられて前記第１方向に対応する方向に延伸するガイド溝を含み、
前記カメラボディ側ガイド機構は、前記カメラボディの前記背壁部に設けられて前記ガイド溝に挿入されるガイド突起を含み、
該ガイド突起は前記第１方向に対して垂直な方向に間隔を開けて配置された第１ガイド突起と第２ガイド突起とを含み、
前記撮像ユニットが前記カメラボディの前記凹部に配設され、前記カメラボディ側コネクタ部と前記撮像ユニット側コネクタ部とが接続されている状態において、
前記規制部材は、前記第１方向に対して垂直な方向で見て前記第１ガイド突起と前記第２ガイド突起との間に配置されていることを特徴とする請求項３３に記載の撮像装置。
【請求項３５】
前記撮像ユニットは、第１光学系と第１撮像素子と第１撮像側コネクタ部とを有する第１撮像ユニットであるか、又は、第２光学系と第２撮像素子と第２撮像側コネクタ部とを有する第２撮像ユニットであり、前記第１撮像ユニットと前記第２撮像ユニットとは前記凹部に着脱可能であり、前記第２撮像素子は前記第１撮像素子と大きさが異なり、前記第２撮像ユニットは前記第１撮像ユニットとは大きさが異なることを特徴とする請求項２５ないし請求項３４のいずれか１項に記載の撮像装置。
【請求項３６】
被写体からの入射光を導く光学系と前記光学系により導かれた被写体像を電気信号に変換する撮像素子と外部との通信を行う撮像ユニット側コネクタ部とを有する撮像ユニットと、該撮像ユニットが着脱可能に配設される凹部を備えるカメラボディとからなる撮像装置であって、
前記凹部は、該凹部に前記撮像ユニットを装着して前記光学系の光軸方向の被写体側から見たときに、前記撮像ユニットの背面が対向する背壁部と、前記撮像ユニットの左側面が対向する側壁部と、前記撮像ユニットの上面が対向する上壁部の三面のみの壁部から構成され、
前記撮像ユニット側コネクタ部に接続されて通信を行うカメラボディ側コネクタ部が前記側壁部に設けられ、
両コネクタ部が不自然な姿勢角度で接続されるのを回避するために、前記カメラボディの背壁部と前記撮像ユニットの背面とのいずれか一方に、前記撮像ユニットと前記カメラボディとの間の角度を規制する角度規制部材が設けられ、
前記カメラボディの前記背壁部と前記撮像ユニットの前記背面とのいずれか他方に、前記角度規制部材が挿入可能な挿入開口と、前記挿入開口に前記角度規制部材が挿入されない場合に前記角度規制部材に当接する角度規制部材当接部とが設けられ、
前記角度規制部材が前記挿入開口に挿入された場合に前記撮像ユニット側コネクタ部と前記カメラボディ側コネクタ部とが接続されることを特徴とする撮像装置。
【請求項３７】
被写体からの入射光を導く光学系と前記光学系により導かれた被写体像を電気信号に変換する撮像素子と外部との通信を行う撮像ユニット側コネクタ部とを有する撮像ユニットと、該撮像ユニットが着脱可能に配設される凹部を備えるカメラボディとからなる撮像装置であって、
前記凹部は、該凹部に前記撮像ユニットを装着して前記光学系の光軸方向の被写体側から見たときに、前記撮像ユニットの背面が対向する背壁部と、前記撮像ユニットの左側面が対向する側壁部と、前記撮像ユニットの上面が対向する上壁部の三面のみの壁部から構成され、
前記撮像ユニット側コネクタ部に接続されて通信を行うカメラボディ側コネクタ部が前記側壁部の嵌合開口部内に配置され、
前記撮像ユニット側コネクタ部が前記撮像ユニットの左側面から突出する嵌合突出部内に配置され、
前記カメラボディの前記背壁部と前記撮像ユニットの前記背面とのいずれか一方に、前記撮像ユニット側コネクタ部と前記カメラボディ側コネクタ部との間の角度規制部材が設けられ、
前記カメラボディの前記背壁部と前記撮像ユニットの前記背面とのいずれか他方に、前記角度規制部材が挿入可能な挿入開口と、該挿入開口に前記角度規制部材が挿入されない場合に前記角度規制部材に当接する角度規制部材当接部とが設けられ、
前記角度規制部材が前記挿入開口に挿入された場合に、前記嵌合開口部と前記嵌合突出部とが嵌合することを特徴とする撮像装置。
【請求項３８】
被写体からの入射光を導く光学系と前記光学系により導かれた被写体像を電気信号に変換する撮像素子と外部との通信を行う撮像ユニット側コネクタ部とを有する撮像ユニットと、該撮像ユニットが着脱可能に配設される凹部を備えるカメラボディとからなる撮像装置であって、
前記凹部は、該凹部に前記撮像ユニットを装着して前記光学系の光軸方向の被写体側から見たときに、前記撮像ユニットの背面が対向する背壁部と、前記撮像ユニットの左側面が対向する側壁部と、前記撮像ユニットの上面が対向する上壁部の三面のみの壁部から構成され、
前記撮像ユニット側コネクタ部に接続されて通信を行うカメラボディ側コネクタ部が前記側壁部から突出する嵌合突出部内に配置され、
前記撮像ユニット側コネクタ部が前記撮像ユニットの左側面に形成された嵌合開口部内に配置され、
前記カメラボディの前記背壁部と前記撮像ユニットの前記背面とのいずれか一方に、前記撮像ユニット側コネクタ部と前記カメラボディ側コネクタ部との間の角度規制部材が設けられ、
前記カメラボディの背壁部と前記撮像ユニットの背面とのいずれか他方に、前記角度規制部材が挿入可能な挿入開口と、該挿入開口に前記角度規制部材が挿入されない場合に前記角度規制部材に当接する角度規制部材当接部とが設けられ、
前記角度規制部材が前記挿入開口に挿入された場合に、前記嵌合開口部と前記嵌合突出部とが嵌合することを特徴とする撮像装置。
【請求項３９】
前記挿入開口と前記ガイド溝とが前記撮像ユニット側コネクタ部の側の側面に向かって開放されていることを特徴とする請求項３４に記載の撮像装置。
【発明の詳細な説明】
【技術分野】
【０００１】
本発明は、撮像ユニットが着脱されるカメラボディ及びこのカメラボディに着脱される撮像ユニット及び撮像ユニットとカメラボディとの組み合わせ体からなる撮像装置の改良に関する。
【背景技術】
【０００２】
従来から、カメラボディに対して撮像ユニットが着脱可能な撮像装置が知られている（例えば、特許文献１参照。）。
この従来の撮像装置では、カメラボディは撮像ユニットを着脱可能に格納する格納凹部を有する。この格納凹部は背壁部と、この背壁部と一体の上壁部と下壁部と側壁部とにより構成されている。そのカメラボディには、側壁部から遠い側に背壁部と上壁部と下壁部とによって構成される着脱開口が設けられている。
【０００３】
この従来の撮像装置では、撮像ユニットをその着脱開口に臨ませ、背壁部に沿って側壁部に向かって押し込むことにより、撮像ユニットがカメラボディに収容される。その逆に、撮像ユニットを背壁部に沿って側壁部から遠ざかる方向に引き抜くことにより、撮像ユニットはカメラボディから取り外される。
【発明の概要】
【発明が解決しようとする課題】
【０００４】
しかしながら、この従来の撮像装置では、撮像ユニットを上壁部と下壁部とに沿って案内しつつカメラボディに装着する構成であるとはいっても、必ずしも、カメラボディに対する撮像ユニットの着脱の際に、カメラボディと撮像ユニットとの接続を正確かつスムーズに行い難いという問題がある。
【０００５】
本発明は、上記の事情に鑑みて為されたもので、その目的は、カメラボディに対する撮像ユニットの着脱の際に、カメラボディと撮像ユニットとの接続を正確かつスムーズに行うことができるカメラボディ及びこのカメラボディに着脱される撮像ユニット及び撮像装置を提供することにある。
【課題を解決するための手段】
【０００６】
請求項１に記載のカメラボディは、被写体からの入射光を導く光学系と該光学系により導かれた被写体像を電気信号に変換する撮像素子と外部との通信を行う撮像ユニット側コネクタ部とが設けられた筐体を有する撮像ユニットが着脱可能に配設される凹部を備えるカメラボディであって、
前記凹部は、該凹部に前記撮像ユニットを装着して前記光学系の光軸方向の被写体側から見たときに、前記筐体の背面が対向する背壁部と、前記筐体の左側面が対向する側壁部と、前記筐体の上面が対向する上壁部の三面のみの壁部から構成され、
前記撮像ユニット側コネクタ部に接続されて通信を行うカメラボディ側コネクタ部が前記側壁部に設けられ、
前記背壁部に規制部材が設けられ、
前記撮像ユニットの背面に、前記規制部材が挿入可能な挿入開口と、前記規制部材が当接可能な規制部材当接部とが設けられ、
前記撮像ユニットを前記凹部に配設する際に、前記規制部材が前記挿入開口に挿入された場合には、前記撮像ユニット側コネクタ部と前記カメラボディ側コネクタ部とが接続され、前記規制部材が前記規制部材当接部に当接した場合には、前記撮像ユニット側コネクタ部と前記カメラボディ側コネクタ部とが接続されないことを特徴とする。
【０００７】
請求項２に記載のカメラボディは、前記規制部材は、前記撮像ユニット側コネクタ部と前記カメラボディ側コネクタ部とが不自然な姿勢角度で接続されるのを回避し、
前記規制部材が前記挿入開口に挿入された場合には、前記撮像ユニットの前記背面と前記カメラボディの前記背壁部とが平行に当接し、前記撮像ユニットの前記側壁部へ向かう向きへの移動に伴って前記撮像ユニット側コネクタ部と前記カメラボディ側コネクタ部とが接続され、
前記規制部材が前記規制部材当接部に当接した場合には、前記撮像ユニットの前記背面と前記カメラボディの前記背壁部とが平行に当接せず、前記撮像ユニット側コネクタ部と前記カメラボディ側コネクタ部とが接続されないことを特徴とする。
請求項３に記載のカメラボディは、前記撮像ユニットの前記側壁部に接近する向きへの移動に伴って、前記撮像ユニット側コネクタ部と前記カメラボディ側コネクタ部とが接続され、
前記撮像ユニットの前記側壁部から離脱する向きへの移動に伴って、前記撮像ユニット側コネクタ部と前記カメラボディ側コネクタ部との接続が解除されることを特徴とする。
【０００８】
請求項４に記載のカメラボディは、前記カメラボディ側コネクタ部は、前記側壁部に設けられた開口部内に配置され、前記撮像ユニット側コネクタ部は、前記筐体の左側面から突出する突出部内に配置され、
前記突出部が前記開口部に嵌合して、前記カメラボディ側コネクタ部が前記撮像ユニット側コネクタ部と接続されていることを特徴とする。
請求項５に記載のカメラボディは、前記カメラボディ側コネクタ部は、前記側壁部から突出する突出部内に配置され、前記撮像ユニット側コネクタ部は、前記筐体の左側面に設けられた開口部内に配置され、前記突出部が前記開口部に嵌合して、前記カメラボディ側コネクタ部が前記撮像ユニット側コネクタ部と接続されていることを特徴とする。
請求項６に記載のカメラボディは、前記撮像ユニットが前記カメラボディに装着された状態において、前記撮像ユニットを前記カメラボディの背壁部に向けて付勢する付勢部を備えていることを特徴とする。
【０００９】
請求項７に記載のカメラボディは、前記付勢部は、前記カメラボディの背壁部と前記撮像ユニットの背面とのいずれか一方に形成された係合爪と、
前記カメラボディの背壁部と前記撮像ユニットの背面とのいずれか他方に形成されかつ前記撮像ユニットが前記カメラボディに装着された状態において前記係合爪に対向する係合板部と、
前記係合板部の係合爪に臨む面に設けられかつ前記係合爪と係合して前記撮像ユニットを前記カメラボディの前記背壁部に向けて付勢する付勢バネとを含むことを特徴とする。
請求項８に記載のカメラボディは、前記撮像ユニットが前記カメラボディの前記凹部に配設されかつ前記カメラボディ側コネクタ部と前記撮像ユニット側コネクタ部とが接続されている状態において、前記規制部材が前記側壁部と前記付勢部との間に配置されることを特徴とする。
【００１０】
請求項９に記載のカメラボディは、前記撮像ユニットが前記カメラボディの凹部に配設されかつ前記カメラボディ側コネクタ部と前記撮像ユニット側コネクタ部とが接続されている状態において、
前記規制部材が前記付勢部よりも前記側壁部に近い位置に配置されることを特徴とする。
請求項１０に記載のカメラボディは、前記撮像ユニットが前記カメラボディの前記凹部に配設されかつ前記カメラボディ側コネクタ部と前記撮像ユニット側コネクタ部とが接続されている状態において、
前記規制部材が、前記側壁部に対して前記撮像ユニットが接近又は離脱する第１方向に対して垂直な方向で見て前記カメラボディ側コネクタ部の略中央に配置されることを特徴とする。
【００１１】
請求項１１に記載のカメラボディは、前記撮像ユニットが前記カメラボディの凹部に配設されかつ前記カメラボディ側コネクタ部と前記撮像ユニット側コネクタ部とが接続されている状態において、
前記規制部材が前記側壁部に対して撮像ユニットが接近又は離脱する第１方向に対して垂直な方向で見て前記凹部の略中央に配置されていることを特徴とする。
請求項１２に記載のカメラボディは、前記付勢部は、前記側壁部に対して前記撮像ユニットが接近又は離脱する第１方向に対して垂直な方向に間隔を設けて配置された第１付勢部と第２付勢部とを含み、
前記規制部材は、前記第１方向に対して略垂直な方向で見て、前記第１付勢部と前記第２付勢部との間の略中央に配置されていることを特徴とする。
【００１２】
請求項１３に記載のカメラボディは、前記撮像ユニット側コネクタ部に対する前記カメラボディ側コネクタ部の位置関係を規制しかつ前記側壁部に対して接近又は離脱する第１方向に前記撮像ユニットを案内するガイド機構が、前記カメラボディの前記背壁部と前記撮像ユニットの背面とに設けられていることを特徴とする。
【００１３】
請求項１４に記載のカメラボディは、前記ガイド機構が、カメラボディ側ガイド機構と撮像ユニット側ガイド機構とからなり、前記撮像ユニット側ガイド機構は、前記撮像ユニットの前記背面に設けられて前記第１方向に対応する方向に延伸するガイド溝を含み、
前記カメラボディ側ガイド機構は、前記カメラボディの前記背壁部に設けられて前記ガイド溝に挿入されるガイド突起を含み、
該ガイド突起は前記第１方向に対して垂直な方向に間隔を開けて配置された第１ガイド突起と第２ガイド突起とを含み、
前記撮像ユニットが前記カメラボディの前記凹部に配設され、前記カメラボディ側コネクタ部と前記撮像ユニット側コネクタ部とが接続されている状態において、
前記規制部材は、前記第１方向に対して垂直な方向で見て前記第１ガイド突起と前記第２ガイド突起との間に配置されていることを特徴とする。
請求項１５に記載のカメラボディは、前記撮像ユニットの前記挿入開口及び前記ガイド溝が前記撮像ユニット側コネクタ部の側の側面に向かって開放されていることを特徴とする。
【００１４】
請求項１６に記載のカメラボディは、直方体形状の筐体に光学系と撮像素子とが設けられた撮像ユニットを着脱可能に配設する凹部が設けられ、前記撮像ユニットと一体化されて被写体を撮影する撮像装置として用いられるカメラボディであって、
前記凹部は、該凹部に前記撮像ユニットを装着して前記光学系の光軸方向の被写体側から見たときに、前記筐体の背面が対向する背壁部と、前記筐体の左側面が対向する側壁部と、前記筐体の上面が対向する上壁部の三面のみの壁部から構成され、
前記撮像ユニット側コネクタ部に接続されて通信を行うカメラボディ側コネクタ部が前記側壁部に設けられ、
前記撮像ユニットを前記凹部に配設して前記撮像ユニット側コネクタ部と前記カメラボディ側コネクタ部との接続を行う場合に、両コネクタ部が不自然な姿勢角度で接続されるのを回避するために、前記撮像ユニットと前記背壁部との間の角度を規制する角度規制部材が前記背壁部に設けられていることを特徴とする。
【００１５】
請求項１７に記載のカメラボディは、前記角度規制部材は、前記撮像ユニットの背面に設けられた角度規制部材当接部と当接して、前記背壁部に対する前記撮像ユニットの角度を規制することを特徴とする。
【００１６】
請求項１８に記載の撮像ユニットは、被写体からの入射光を導く光学系と該光学系により導かれた被写体像を電気信号に変換する撮像素子と外部との通信を行う撮像ユニット側コネクタ部とが設けられた筐体を有し、前記撮像ユニット側コネクタ部との間で通信を行うカメラボディ側コネクタ部を備えるカメラボディに着脱可能に配設される撮像ユニットであって、
前記筐体は、該筐体を装着して前記光学系の光軸方向の被写体側から見たときに、前記筐体の背面が対向する前記カメラボディの背壁部と、前記筐体の左側面が対向する前記カメラボディの側壁部と、前記筐体の上面が対向する前記カメラボディの上壁部の三面のみの壁部から構成された凹部に配設され、
前記筐体の背面には規制部材が設けられ、
前記カメラボディ側の前記背壁部には前記規制部材が挿入可能な挿入開口と、前記規制部材が当接可能な規制部材当接部とが設けられ、
前記筐体を前記凹部に配設する際に、前記規制部材が前記挿入開口に挿入された場合には、前記撮像ユニット側コネクタ部と前記カメラボディ側コネクタ部とが接続され、前記規制部材が前記規制部材当接部に当接した場合には、前記撮像ユニット側コネクタ部と前記カメラボディ側コネクタ部とが接続されないことを特徴とする。
【００１７】
請求項１９に記載の撮像ユニットは、前記規制部材は、前記撮像ユニット側コネクタ部と前記カメラボディ側コネクタ部とが不自然な姿勢角度で接続されるのを回避し、
前記規制部材が前記挿入開口に挿入された場合には、前記撮像ユニットの前記背面と前記カメラボディの前記背壁部とが平行に当接し、前記撮像ユニットの前記側壁部へ向かう向きへの移動に伴って前記撮像ユニット側コネクタ部と前記カメラボディ側コネクタ部とが接続され、
前記規制部材が前記規制部材当接部に当接した場合には、前記撮像ユニットの前記背面と前記カメラボディの前記背壁部とが平行に当接せず、前記撮像ユニット側コネクタ部と前記カメラボディ側コネクタ部とが接続されないことを特徴とする。
【００１８】
請求項２０に記載の撮像ユニットは、前記筐体の前記側壁部に接近する向きへの移動に伴って、前記撮像ユニット側コネクタ部と前記カメラボディ側コネクタ部とが接続され、
前記筐体の前記側壁部から離脱する向きへの移動に伴って、前記撮像ユニット側コネクタ部と前記カメラボディ側コネクタ部との接続が解除されることを特徴とする。
請求項２１に記載の撮像ユニットは、前記撮像ユニット側コネクタ部は、前記筐体の左側面から突出する突出部内に配置され、前記カメラボディ側コネクタ部は、前記側壁部に設けられた開口部内に配置され、
前記突出部が前記開口部に嵌合して、前記カメラボディ側コネクタ部が前記撮像ユニット側コネクタ部と接続されていることを特徴とする。
【００１９】
請求項２２に記載の撮像ユニットは、前記撮像ユニット側コネクタ部は、前記筐体の左側面に設けられた開口部内に配置され、前記カメラボディ側コネクタ部は、前記側壁部から突出する突出部内に配置され、前記突出部が前記開口部に嵌合して、前記カメラボディ側コネクタ部が前記撮像ユニット側コネクタ部と接続されていることを特徴とする。
【００２０】
請求項２３に記載の撮像ユニットは、光学系と撮像素子と撮像ユニット側コネクタ部とが設けられた直方体形状の筐体を有し、前記撮像ユニット側コネクタ部との間で通信を行うカメラボディ側コネクタ部を備えるカメラボディと一体化されて被写体を撮影する撮像装置として用いられる撮像ユニットであって、
前記筐体は、該筐体を装着して前記光学系の光軸方向の被写体側から見たときに、前記筐体の背面が対向する前記カメラボディの背壁部と、前記筐体の左側面が対向する前記カメラボディの側壁部と、前記筐体の上面が対向する前記カメラボディの上壁部の三面のみの壁部から構成された凹部に着脱可能に配設され、
前記筐体を前記凹部に配設して前記撮像ユニット側コネクタ部と前記カメラボディ側コネクタ部との接続を行う場合に、両コネクタ部が不自然な姿勢角度で接続されるのを回避するために、前記筐体と前記背壁部との間の角度を規制する角度規制部材が前記筐体の背面に設けられていることを特徴とする。
【００２１】
請求項２４に記載の撮像ユニットは、前記角度規制部材は、前記カメラボディの背壁部に設けられた角度規制部材当接部と当接して、前記背壁部に対する前記撮像ユニットの角度を規制することを特徴とする。
【００２２】
請求項２５に記載の撮像装置は、被写体からの入射光を導く光学系と該光学系により導かれた被写体像を電気信号に変換する撮像素子と外部との通信を行う撮像ユニット側コネクタ部とを有する撮像ユニットと、該撮像ユニットが着脱可能に配設される凹部を備えるカメラボディとからなる撮像装置であって、
前記凹部は、該凹部に前記撮像ユニットを装着して前記光学系の光軸方向の被写体側から見たときに、前記撮像ユニットの背面が対向する背壁部と、前記撮像ユニットの左側面が対向する側壁部と、前記撮像ユニットの上面が対向する上壁部の三面のみの壁部から構成され、
前記撮像ユニット側コネクタ部に接続されて通信を行うカメラボディ側コネクタ部が前記側壁部に設けられ、
前記カメラボディの背壁部と前記撮像ユニットの前記背面とのいずれか一方に規制部材が設けられ、
前記カメラボディの背壁部と前記撮像ユニットの背面とのいずれか他方に、前記規制部材が挿入可能な挿入開口と、前記規制部材が当接可能な規制部材当接部とが設けられ、
前記撮像ユニットを前記凹部に配設する際に、前記規制部材が前記挿入開口に挿入された場合には、前記撮像ユニット側コネクタ部と前記カメラボディ側コネクタ部とが接続され、前記規制部材が前記規制部材当接部に当接した場合には、前記撮像ユニット側コネクタ部と前記カメラボディ側コネクタ部とが接続されないことを特徴とする。
【００２３】
請求項２６に記載の撮像装置は、前記規制部材は、前記撮像ユニット側コネクタ部と前記カメラボディ側コネクタ部とが不自然な姿勢角度で接続されるのを回避し、
前記規制部材が前記挿入開口に挿入された場合には、前記撮像ユニットの前記背面と前記カメラボディの前記背壁部とが平行に当接し、前記撮像ユニットの前記側壁部へ向かう向きへの移動に伴って前記撮像ユニット側コネクタ部と前記カメラボディ側コネクタ部とが接続され、
前記規制部材が前記規制部材当接部に当接した場合には、前記撮像ユニットの前記背面と前記カメラボディの前記背壁部とが平行に当接せず、前記撮像ユニット側コネクタ部と前記カメラボディ側コネクタ部とが接続されないことを特徴とする。
【００２４】
請求項２７に記載の撮像装置は、前記付勢部は、前記カメラボディの背壁部と前記撮像ユニットの背面とのいずれか一方に形成された係合爪と、
前記カメラボディの背壁部と前記撮像ユニットの背面とのいずれか他方に形成されかつ前記撮像ユニットが前記カメラボディに装着された状態において前記係合爪に対向する係合板部と、
前記係合板部の係合爪に臨む面に設けられかつ前記係合爪と係合して前記撮像ユニットを前記カメラボディの前記背壁部に向けて付勢する付勢バネとを含むことを特徴とする。
【００２５】
請求項２８に記載の撮像装置は、前記撮像ユニットが前記カメラボディの前記凹部に配設されかつ前記カメラボディ側コネクタ部と前記撮像ユニット側コネクタ部とが接続されている状態において、
前記規制部材が前記側壁部と前記付勢部との間に配置されることを特徴とする。
【００２６】
請求項２９に記載の撮像装置は、前記撮像ユニットが前記カメラボディの凹部に配設されかつ前記カメラボディ側コネクタ部と前記撮像ユニット側コネクタ部とが接続されている状態において、
前記規制部材が前記付勢部よりも前記側壁部に近い位置に配置されることを特徴とする。
請求項３０に記載の撮像装置は、前記撮像ユニットが前記カメラボディの前記凹部に配設されかつ前記カメラボディ側コネクタ部と前記撮像ユニット側コネクタ部とが接続されている状態において、
前記規制部材が、前記側壁部に対して前記撮像ユニットが接近又は離脱する第１方向に対して垂直な方向で見て前記カメラボディ側コネクタ部の略中央に配置されることを特徴とする。
【００２７】
請求項３１に記載の撮像装置は、前記撮像ユニットが前記カメラボディの凹部に配設されかつ前記カメラボディ側コネクタ部と前記撮像ユニット側コネクタ部とが接続されている状態において、
前記規制部材が前記側壁部に対して撮像ユニットが接近又は離脱する第１方向に対して垂直な方向で見て前記凹部の略中央に配置されていることを特徴とする。
【００２８】
請求項３２に記載の撮像装置は、前記付勢部は、前記側壁部に対して前記撮像ユニットが接近又は離脱する第１方向に対して垂直な方向に間隔を設けて配置された第１付勢部と第２付勢部とを含み、
前記角度規制部材は、前記第１方向に対して略垂直な方向で見て、前記第１付勢部と前記第２付勢部との間の略中央に配置されていることを特徴とする。
請求項３３に記載の撮像装置は、前記撮像ユニット側コネクタ部に対する前記カメラボディ側コネクタ部の位置関係を規制しかつ前記側壁部に対して接近又は離脱する第１方向に前記撮像ユニットを案内するガイド機構が、前記カメラボディの前記背壁部と前記撮像ユニットの背面とのいずれか一方に設けられていることを特徴とする。
【００２９】
請求項３４に記載の撮像装置は、前記ガイド機構が、カメラボディ側ガイド機構と撮像ユニット側ガイド機構とからなり、前記撮像ユニット側ガイド機構は、前記撮像ユニットの前記背面に設けられて前記第１方向に対応する方向に延伸するガイド溝を含み、
前記カメラボディ側ガイド機構は、前記カメラボディの前記背壁部に設けられて前記ガイド溝に挿入されるガイド突起を含み、
該ガイド突起は前記第１方向に対して垂直な方向に間隔を開けて配置された第１ガイド突起と第２ガイド突起とを含み、
前記撮像ユニットが前記カメラボディの前記凹部に配設され、前記カメラボディ側コネクタ部と前記撮像ユニット側コネクタ部とが接続されている状態において、
前記規制部材は、前記第１方向に対して垂直な方向で見て前記第１ガイド突起と前記第２ガイド突起との間に配置されていることを特徴とする。
【００３０】
請求項３５に記載の撮像装置は、前記撮像ユニットは、第１光学系と第１撮像素子と第１撮像側コネクタ部とを有する第１撮像ユニットであるか、又は、第２光学系と第２撮像素子と第２撮像側コネクタ部とを有する第２撮像ユニットであり、前記第１撮像ユニットと前記第２撮像ユニットとは前記凹部に着脱可能であり、前記第２撮像素子は前記第１撮像素子と大きさが異なり、前記第２撮像ユニットは前記第１撮像ユニットとは大きさが異なることを特徴とする。
【００３１】
請求項３６に記載の撮像装置は、被写体からの入射光を導く光学系と前記光学系により導かれた被写体像を電気信号に変換する撮像素子と外部との通信を行う撮像ユニット側コネクタ部とを有する撮像ユニットと、該撮像ユニットが着脱可能に配設される凹部を備えるカメラボディとからなる撮像装置であって、
前記凹部は、該凹部に前記撮像ユニットを装着して前記光学系の光軸方向の被写体側から見たときに、前記撮像ユニットの背面が対向する背壁部と、前記撮像ユニットの左側面が対向する側壁部と、前記撮像ユニットの上面が対向する上壁部の三面のみの壁部から構成され、
前記撮像ユニット側コネクタ部に接続されて通信を行うカメラボディ側コネクタ部が前記側壁部に設けられ、
両コネクタ部が不自然な姿勢角度で接続されるのを回避するために、前記カメラボディの背壁部と前記撮像ユニットの背面とのいずれか一方に、前記撮像ユニットと前記カメラボディとの間の角度を規制する角度規制部材が設けられ、
前記カメラボディの前記背壁部と前記撮像ユニットの前記背面とのいずれか他方に、前記角度規制部材が挿入可能な挿入開口と、前記挿入開口に前記角度規制部材が挿入されない場合に前記角度規制部材に当接する角度規制部材当接部とが設けられ、
前記角度規制部材が前記挿入開口に挿入された場合に前記撮像ユニット側コネクタ部と前記カメラボディ側コネクタ部とが接続されることを特徴とする。
【００３２】
請求項３７に記載の撮像装置は、被写体からの入射光を導く光学系と前記光学系により導かれた被写体像を電気信号に変換する撮像素子と外部との通信を行う撮像ユニット側コネクタ部とを有する撮像ユニットと、該撮像ユニットが着脱可能に配設される凹部を備えるカメラボディとからなる撮像装置であって、
前記凹部は、該凹部に前記撮像ユニットを装着して前記光学系の光軸方向の被写体側から見たときに、前記撮像ユニットの背面が対向する背壁部と、前記撮像ユニットの左側面が対向する側壁部と、前記撮像ユニットの上面が対向する上壁部の三面のみの壁部から構成され、
前記撮像ユニット側コネクタ部に接続されて通信を行うカメラボディ側コネクタ部が前記側壁部の嵌合開口部内に配置され、
前記撮像ユニット側コネクタ部が前記撮像ユニットの左側面から突出する嵌合突出部内に配置され、
前記カメラボディの前記背壁部と前記撮像ユニットの前記背面とのいずれか一方に、前記撮像ユニット側コネクタ部と前記カメラボディ側コネクタ部との間の角度規制部材が設けられ、
前記カメラボディの前記背壁部と前記撮像ユニットの前記背面とのいずれか他方に、前記角度規制部材が挿入可能な挿入開口と、該挿入開口に前記角度規制部材が挿入されない場合に前記角度規制部材に当接する角度規制部材当接部とが設けられ、
前記角度規制部材が前記挿入開口に挿入された場合に、前記嵌合開口部と前記嵌合突出部とが嵌合することを特徴とする。
【００３３】
請求項３８に記載の撮像装置は、被写体からの入射光を導く光学系と前記光学系により導かれた被写体像を電気信号に変換する撮像素子と外部との通信を行う撮像ユニット側コネクタ部とを有する撮像ユニットと、該撮像ユニットが着脱可能に配設される凹部を備えるカメラボディとからなる撮像装置であって、
前記凹部は、該凹部に前記撮像ユニットを装着して前記光学系の光軸方向の被写体側から見たときに、前記撮像ユニットの背面が対向する背壁部と、前記撮像ユニットの左側面が対向する側壁部と、前記撮像ユニットの上面が対向する上壁部の三面のみの壁部から構成され、
前記撮像ユニット側コネクタ部に接続されて通信を行うカメラボディ側コネクタ部が前記側壁部から突出する嵌合突出部内に配置され、
前記撮像ユニット側コネクタ部が前記撮像ユニットの左側面に形成された嵌合開口部内に配置され、
前記カメラボディの前記背壁部と前記撮像ユニットの前記背面とのいずれか一方に、前記撮像ユニット側コネクタ部と前記カメラボディ側コネクタ部との間の角度規制部材が設けられ、
前記カメラボディの背壁部と前記撮像ユニットの背面とのいずれか他方に、前記角度規制部材が挿入可能な挿入開口と、該挿入開口に前記角度規制部材が挿入されない場合に前記角度規制部材に当接する角度規制部材当接部とが設けられ、
前記角度規制部材が前記挿入開口に挿入された場合に、前記嵌合開口部と前記嵌合突出部とが嵌合することを特徴とする。
請求項３９に記載の撮像装置は、前記挿入開口と前記ガイド溝とが前記撮像ユニット側コネクタ部の側の側面に向かって開放されていることを特徴とする。
【発明の効果】
【００３４】
本発明によれば、カメラボディに対する撮像ユニットの着脱の際に、カメラボディと撮像ユニットとの接続を正確かつスムーズに行うことができる。
【図面の簡単な説明】
【００３５】
【図１】図１は本発明が適用されるカメラボディと撮像ユニットとの装着状態を示す説明図であって、カメラボディと撮像ユニットとからなる撮像装置を正面側でかつ斜め方向から見た外観図である。
【図２】図２は本発明が適用されるカメラボディに図１に示す撮像ユニットとは別の撮像ユニットが装着された状態を示す説明図であって、カメラボディと撮像ユニットとからなる撮像装置を正面側でかつ斜め方向から見た外観図である。
【図３】図３は図１に示す撮像ユニットを背面側から見た外観図である。
【図４】図４は図１に示すカメラボディに対する撮像ユニットの装着前の状態又は抜き取り後の状態を示す説明図であって、本発明の実施例１に係わるカメラボディと撮像ユニットとに向かって右斜め方向からこのカメラボディと撮像ユニットとを見た図である。
【図５Ａ】図５Ａは図４に示すカメラボディを正面側から見た図である。
【図５Ｂ】図５Ｂは図５Ａに示すボディ用背面壁補強板金部材を取り除いてカメラボディを正面から見た図である。
【図５Ｃ】図５Ｃは図４に示すカメラボディを斜め下方から見た外観図である。
【図６】図６は図４に示す撮像ユニットの外観図であって、この撮像ユニットを背面側から見た外観図である。
【図７Ａ】図７Ａは図５Ａに示すボディ用背面壁補強板金部材の平面図であって、このボディ用背面壁補強板金部材の正面図である。
【図７Ｂ】図７Ｂは図７Ａに示すボディ用背面壁補強板金部材の平面図であって、このボディ用背面壁補強板金部材の裏面図である。
【図７Ｃ】図７Ｃは図７Ａ、図７Ｂに示すボディ用背面壁補強板金部材の斜視図である。
【図８】図８は図６に示す撮像ユニットを左側面から見た斜視図である。
【図９】図９は図６に示すボディ用上面壁補強板金部材を取り除いてその撮像ユニットを背面側から見た外観図である。
【図１０Ａ】図１０Ａは図６に示すユニット用背面壁補強板金部材を取り除いてその撮像ユニットを背面側から見た外観図である。
【図１０Ｂ】図１０Ｂは図１０Ａに示す板バネとユニット用背面壁補強板金部材との位置関係を示す平面図である。
【図１１Ａ】図１１Ａは図６に示すユニット用背面壁補強板金部材を正面から見た平面図である。
【図１１Ｂ】図１１Ｂは図１１Ａに示すユニット用背面壁補強板金部材の裏面図である。
【図１１Ｃ】図１１Ｃは図１１Ａに示すユニット用背面壁補強板金部材の斜視図である。
【図１２】図１２は図６に示すユニット用上壁面補強板金部材の斜視図である。
【図１３】図１３は図１に示す撮像ユニットとロック部材とロック解除操作部材との噛み合い関係を説明するための斜視図である。
【図１４】図１４は図１３に示すロック部材とロック解除操作部材と被ロック部材との噛み合い関係を示す部分拡大図である。
【図１５】図１５は図１４に示すロック部材の平面図である。
【図１６】図１６は図１５に示すロック部材の斜視図である。
【図１７】図１７は図１４に示すロック解除操作部材の平面図である。
【図１８】図１８は図１７に示すロック解除操作部材の斜視図である。
【図１９】図１９は図４、図５Ｃに示すカメラボディ側コネクタ部の詳細構造を示す断面図である。
【図２０】図２０は図１９に示すカメラボディ側コネクタ部を背壁部を下側にして直視した状態を示す断面図である。
【図２１】図２１は図８に示す撮像ユニット側コネクタ部の詳細構造を示す断面図である。
【図２２】図２２は図１９に示すカメラボディ側コネクタ部と図２１に示す撮像ユニット側コネクタ部との接続状態を示す断面図である。
【図２３】図２３は図１０Ａに示す板バネの外観形状を示す拡大斜視図である。
【図２４】図２４は図５Ａに示すボディ用背面壁補強板金部材と図６、図９に示すユニット用背面壁補強板金部材と図１０Ａ、図２３に示す板バネとの相対位置関係を示す平面図である。
【図２５】図２５は図２４に示すユニット用背面壁補強板金部材とボディ用背面壁補強板金部材との係合関係を図２４に示す矢印Ａ方向から目視した状態の説明図である。
【図２６】図２６は図２５に示す係合爪とユニット用背面壁補強板金部材との係合関係を部分的に拡大して示す断面図である。
【図２７】図２７は図２４に示す矢印Ｂ−Ｂ線に沿う断面図である。
【図２８】図２８は図２５に示すユニット用背面壁補強板金部材とボディ用背面壁補強板金部材との係合関係を断面で詳細に示した図である。
【図２９】図２９は図２８に示すユニット用背面壁補強板金部材とボディ用背面壁補強板金部材との係合関係の部分拡大断面図である。
【図３０】図３０は図１、図２に示す撮像装置に内蔵される電装部品の一例を示す回路図である。
【図３１】図３１は図１、図２に示す撮像装置に内蔵される電装部品の他の例を示す回路図である。
【図３２】図３２は図４に示すカメラボディに撮像ユニットを装着する状態を説明するための図である。
【図３３】図３３は図１に示す撮像ユニットを図１に示すカメラボディに載せた状態を示す説明図であって、ボディ用背面壁補強板金部材の係合突起とユニット用背面壁補強板金部材の係合突起案内穴との対応関係を示す説明図である。
【図３４】図３４は図３３に示す係合突起が図３３に示す構成壁部分に当接しかつ係合部材が係合板部に当接することにより撮像ユニット側コネクタ部とカメラボディ側コネクタ部との接続が阻止される状態を示す説明図である。
【図３５】図３５は図７Ａに示すボディ用背面壁補強板金部材に係合突起案内穴を形成した平面図である。
【図３６】図３６は図１１Ｂに示すユニット用背面壁補強板金部材に係合突起を形成した平面図である。
【図３７Ａ】図３７Ａは図１に示すカメラボディに対する撮像ユニットの装着前の状態又は抜き取り後の状態を示す説明図であって、本発明の実施例２に係わるカメラボディと撮像ユニットとに向かって右斜め方向からこのカメラボディと撮像ユニットとを見た図である。
【図３７Ｂ】図３７Ｂは図３７Ａに示す樹脂板の形状を示す斜視図である。
【図３７Ｃ】図３７Ｃは図３７Ａに示す撮像ユニットを背面側から目視した斜視図である。
【図３７Ｄ】図３７Ｄは図３７Ｃに示すユニット用背面補強板金部材の形状を示す斜視図である。
【図３７Ｅ】図３７Ｅは図３７Ｃに示すユニット用背面壁補強板金部材を取り除いてその撮像ユニットを背面側から見た外観図である。
【図３７Ｆ】図３７Ｆは図３７Ｃに示す撮像ユニットを左側面から見た斜視図である。
【図３７Ｇ】図３７Ｇは図３７Ａに示すカメラボディに撮像ユニットを装着する状態を説明するための図である。
【図３７Ｈ】図３７Ｈは、カメラボディに対して撮像ユニットを正規の操作手順によりセットする際のボディ用背面壁補強板金部材に対するユニット用背面壁補強板金部材の相対位置関係を示す説明図であって、撮像ユニットの正面側からボディ用背面壁補強板金部材に対するユニット用背面壁補強板金部材とを透視して見た図である。
【図３７Ｉ】図３７Ｉはボディ用背面壁補強板金部材と撮像ユニットの背面部との位置関係が図３７Ｈに示す関係にある場合の断面図である。
【図３７Ｊ】図３７Ｊはカメラボディに対して撮像ユニットをセットする際のボディ用背面壁補強板金部材に対するユニット用背面壁補強板金部材の相対位置関係を示す斜視図である。
【図３７Ｋ】図３７Ｋは係合突起が傾斜壁に近接し、係合爪が傾斜壁に近接している際のボディ用背面壁補強板金部材に対するユニット用背面壁補強板金部材の相対位置関係を示す説明図である。
【図３７Ｌ】図３７Ｌはボディ用背面壁補強板金部材とユニット用背面壁補強板金部材の位置関係が図３７Ｋに示す関係にある場合の断面図である。
【図３７Ｍ】図３７Ｍは、カメラボディ側コネクタ部と撮像ユニット側コネクタ部との接続が完了した状態でのカメラボディ用背面壁補強板金部材に対するユニット用背面壁補強板金部材の相対位置関係を示す説明図であって、撮像ユニットの正面側からボディ用背面壁補強板金部材に対するユニット用背面壁補強板金部材とを透視して見た図である。
【図３７Ｎ】図３７Ｎはカメラボディ側コネクタ部と撮像ユニット側コネクタ部との接続が完了した状態でのカメラボディ用背面壁補強板金部材に対するユニット用背面壁補強板金部材の相対位置関係を示す斜視図である。
【図３７Ｏ】図３７Ｏは図３７Ｄに示すユニット用背面壁補強板金部材に係合突起を形成した平面図である。
【図３８】図３８はカメラボディを背面側から目視した状態であって電子ビューファインダーのカメラボディへの装着前の状態を示す外観図である。
【図３９】図３９はカメラボディを背面側から目視した状態であって電子ビューファインダーのカメラボディへの装着状態を示す外観図である。
【図４０】図４０はカメラボディを正面側から目視した状態であって電子ビューファインダーのカメラボディへの装着前の状態を示す外観図である。
【図４１】図４１はカメラボディを正面から目視した状態であって電子ビューファインダーのカメラボディへの装着状態を示す外観図である。
【発明を実施するための形態】
【実施例】
【００３６】
（カメラボディ１、撮像ユニット２の概略説明）
図１、図２、図３は本発明に係わる直方体形状の筐体を有する撮像ユニットをカメラボディに装着した状態を示している。図１、図２は撮像ユニットがカメラボディに装着されている状態を正面側でかつ斜め方向から目視した状態を示し、図３は図１に示すカメラボディを背面側でかつ斜め方向から目視した状態を示している。
【００３７】
その図１、図２、図３において、１はカメラボディ、２は撮像ユニットである。撮像ユニット２は直方体形状の筐体２Ａを有する。ここでは、撮像ユニット２は撮像光学系と撮像素子とを備えた交換レンズ鏡胴ユニットからなる。その図２には、図１に示すカメラボディ１に装着された撮像ユニット２とは異なる大きさの筐体２Ａを有する撮像ユニット２がカメラボディ１に装着されている状態が示されている。
【００３８】
その図２に示す撮像ユニット２の筐体２Ａの内部に配設される撮像素子の大きさは、図１に示す撮像ユニット２の筐体２Ａの内部に配設される撮像素子の大きさとは異なるものとされている。
【００３９】
その筐体２Ａは、その正面２ａにレンズ鏡胴３を有する。撮像ユニット２は、図４に示すように、カメラボディ１に対して着脱可能とされている。その図４には、図１に示すカメラボディから図１に示す撮像ユニット２を抜き取った状態が示されている。
レンズ鏡胴３は、図１、図２、図４に示すように、案内筒３ａと可動鏡筒３ｂとから構成される。案内筒３ａには可動鏡筒３ｂが光軸Ｏの延びる方向に進退可能に配設される。その可動鏡筒３ｂにはズームレンズ等のレンズ系が設けられる。このレンズ系を含む撮像光学系により、被写体からの入射光が撮像素子に導かれ、この被写体像が入射光を電気信号に変換する撮像素子に結像される。
【００４０】
図１のＺ方向はカメラボディ１に撮像ユニット２が装着された状態でのレンズ鏡胴３の撮像光学系（レンズ系）の光軸方向に並行な方向であり、本実施例では前後方向と呼ぶ。Ｚ方向の正の側は、カメラの正面側（前側）であり、Ｚ方向の負の側は、カメラの背面側（後側）である。
図１のＸ方向は、カメラボディ１に撮像ユニット２が装着された状態でのレンズ鏡胴３の撮像光学系（レンズ系）の光軸方向に垂直な方向であり、本実施例では左右方向と呼ぶ。Ｘ方向の正の側は右側であり、Ｘ方向の負の側は左側である。
図１のＹ方向は、カメラボディ１に撮像ユニット２が装着された状態でのレンズ鏡胴３の撮像光学系（レンズ系）の光軸方向に垂直な方向であり、本実施例では上下方向と呼ぶ。Ｙ方向の正の側は下側であり、Ｙ方向の負の側は上側である。
【００４１】
（実施例１）
（カメラボディ１の詳細説明）
そのカメラボディ１は、図４、図５Ａに示すように、筐体２Ａの配設空間としての凹部１Ａを有する。その凹部１Ａは、樹脂製の背壁部１Ｂと側壁部１Ｃと上壁部１Ｄとの三つの壁部により構成される。その背壁部１Ｂと側壁部１Ｃとは互いに直交している。その上壁部１Ｄは両壁部１Ｂ、１Ｃに対して直交している。
【００４２】
背壁部１Ｂには、凹部１Ａに撮像ユニット２を装着してこの撮像ユニット２を正面、すなわち、光学系の光軸方向被写体側から見たときに、筐体２Ａの背面部２ｂ（図６参照）が対向する。側壁部１Ｃには、凹部１Ａに撮像ユニット２を装着してこの撮像ユニット２を正面から見たときに、図８に示す筐体２Ａの左側面２ｃが対向する。上壁部１Ｄには、凹部１Ａに撮像ユニット２を配設してこの撮像ユニット２を正面から見たときに、筐体２Ａの上面２ｄが対向する。
【００４３】
背壁部１Bと側壁部１Cと上壁部１Dとは一体に形成される。凹部１Ａはその背壁部１Ｂの背面壁（ＸＹ平面）と側壁部１Ｃの側面壁（ＹＺ平面）と上壁部１Ｄの上面壁（ＺＸ平面）とによってその輪郭形状が規定される。この凹部１Ａは筐体２Ａが配設されたときに、その筐体２Ａの下面２ｅが位置する下方（Ｙ方向）と、筐体２Ａの右側面２ｆが位置する右側方（Ｘ方向）と、筐体２Ａの正面２ａが位置する前方（Ｚ方向）との三方向に向かって開放されている。
なお、Ｘ方向を側壁部１Ｃに対して撮像ユニット２が接近又は離脱する第１方向ともいい、また、Ｙ方向を第１方向に対して垂直な方向ともいう。
【００４４】
その背壁部１Bと側壁部１Cと上壁部１Dとの適宜箇所にカメラボディ１、撮像ユニット２を電気的に操作する操作部が設けられている。この実施例では、例えば、その上壁部１Dに、図１〜図４に示すように、操作部としてのレリーズボタン５ｙ、ダイヤル５ｚが設けられている。また、上壁部１Ｄには、ポップアップ型のストロボ装置５ｘ、ホットシュー部５ｔが設けられている。更に、背壁部１Ｂには、図３に示すように、電子ビューファインダー接続端子５ｓも設けられている。その電子ビューファインダー接続端子５ｓには電子ビューファインダー装置（図示を略す）が接続される。
【００４５】
背壁部１Bには、図５Ａ、図７Ａ〜図７Ｃに示すように、背面壁としてのボディ用背面壁補強板金部材４が設けられている。図７Ａ〜図７Ｃは背壁部１Ｂから取り外されたボディ用背面壁補強板金部材４を示している。このボディ用背面壁補強板金部材４には、撮像ユニット２をカメラボディ１にセットした時に、その背面部２ｂが対面される。
【００４６】
（ボディ用背面壁補強板金部材４の説明）
そのボディ用背面壁補強板金部材４は、概略長方形状の輪郭を呈している。このボディ用背面壁補強板金部材４は、例えば、プレスにより成形される。このボディ用背面壁補強板金部材４は、図７Ａ〜図７Ｃに拡大して示すように、一対の挿入開口４ａ、４ａと、後述する付勢部としても機能する一対の係合爪４ｂ、４ｂと、ネジ穴４ｃとを有する。
なお、付勢部は第１付勢部と第２付勢部とを含み、一対の係合爪４ｂ、４ｂのいずれか一方を第１係合爪といい、いずれか他方を第２係合爪という。
【００４７】
一対の挿入開口４ａ、４ａは縦方向（上下方向）に間隔を開けて形成されると共に横方向（左右方向）に互いに並行に延びる構成とされている。その一対の挿入開口４ａ、４ａの右方終端は矩形状開口４ｄ、４ｄとなっている。この矩形状開口４ｄ、４ｄには、後述する矩形状ストッパ突起が嵌合される。
【００４８】
一対の係合爪４ｂ、４ｂは、側壁部１Ｃから遠く離れた位置でかつ縦方向（上下方向）に間隔を開けて配置されている。この一対の係合爪４ｂ、４ｂは図７Ｃに拡大して示すように切り起こし部４ｅと屈曲部４ｆとによって構成されている。ボディ用背面壁補強板金部材４にはその一対の係合爪４ｂ、４ｂの形成箇所に挿入開口４ｓ、４ｓが形成されている。
【００４９】
そのボディ用背面壁補強板金部材４には挿入開口４ａと挿入開口４ａとが間隔を開けて形成されている縦方向（上下方向）の概略中間位置に係合突起４ｇが形成されている。この係合突起４ｇは、切り起こし部４ｉと屈曲部４ｈとから構成されている。この係合突起４ｇの形成箇所には挿入開口４ｔが形成されている。係合突起４ｇは後述するコネクタ同士の嵌合を適正な姿勢角度で行なわせる機能を果たす。この係合突起４ｇは側壁部１Ｃに対して撮像ユニット２が接近又は離脱する第１方向に対して垂直方向（Ｙ方向）から見てカメラボディ側コネクタ部１２の略中央に位置されているが、その詳細な構造については後述する。
【００５０】
（樹脂板３０の説明）
図５Ｂにはその背壁部１Ｂからボディ用背面壁補強板金部材４を取り外した状態が示されている。背壁部１Ｂには凹処が形成され、この凹処に樹脂板３０が配設されている。この樹脂板３０には、一対の挿入開口４ａ、４ａに対向する箇所に一対の隆起部３０ｓが形成され、一対の挿入開口４ｓ、４ｓに対向する箇所に一対の隆起部３０ｓ’が形成され、挿入開口４ｔに対向する箇所に隆起部３０ｓ”が形成されている。その一対の隆起部３０ｓには左右方向に延びる一対の樹脂製のガイド突起４ｊ、４ｊと一対の樹脂製の摺接リブ４ｋ、４ｋとが形成されている。その一対の樹脂製のガイド突起４ｊ、４ｊの右方終端には矩形状突起４ｍが形成されている。この矩形状突起４ｍはストッパ突起としても機能する。その一対の隆起部３０ｓ’にはそれぞれ摺接リブ４ｎ、４ｎが形成されている。その一対の隆起部３０ｓ、３０ｓは側壁部１Ｃと一対の隆起部３０ｓ’、３０ｓ’との間に位置している。
【００５１】
なお、一対の樹脂製のガイド突起４ｊ、４ｊはカメラボディ側ガイド機構を構成し、一対の樹脂製のガイド突起４ｊ、４ｊのいずれか一方を第１ガイド突起といい、一対の樹脂製のガイド突起４ｊ、４ｊのいずれか他方を第２ガイド突起という。
そのカメラボディ側ガイド機構は後述する撮像ユニット側ガイド機構と協働して、撮像ユニット側コネクタ部１１に対するカメラボディ側コネクタ部１２の位置関係を規制しかつ側壁部１Ｃに対して接近又は離脱する方向に撮像ユニット２を案内するガイド機構として機能する。
【００５２】
その一対の樹脂製の摺接リブ４ｋ、４ｋと一対の樹脂製の摺接リブ４ｎ、４ｎとは左右方向に間隔を開けて配置されている。その一対の摺接リブ４ｋ、４ｋは一対のガイド突起４ｊ、４ｊにそれぞれ近接又は隣接して平行に設けられている。その一対のガイド突起４ｊ、４ｊは一対の摺接リブ４ｋ、４ｋが配設されている側にガイド面４ｐ、４ｐが形成されている。このガイド面４ｐ、４ｐは、ＸＹ平面に平行な面内に存在する。切り起こし部４ｉはＺ方向の正の向きに延びている。
【００５３】
そのガイド面４ｐ、４ｐには、図６に示すユニット用背面壁補強板金部材１０の辺縁１０ａ、１０ａが摺接される。その矩形状突起４ｍには、撮像ユニット２を抜き取る際にユニット用背面壁補強板金部材１０の切り欠き壁１０ｂ、１０ｂが当接される。そのユニット用背面壁補強板金部材１０の詳細構造については後述する。その背壁部１Ｂには図５Ｂに示すように適宜箇所にネジ穴４ｃ’がボディ用背面壁補強板金部材４のネジ穴４ｃに対応する位置に形成されている。
【００５４】
（ボディ用背面壁補強板金部材４と樹脂板３０との背壁部１Ｂへの取付け構造）
ボディ用背面壁補強板金部材４には、図７Ａ〜図７Ｃに示すように、その左側と右側の部分であってその縦方向中間部に背壁部１Ｂに向かって隆起する隆起状平板部４ｑ、４ｒが形成されている。樹脂板３０は、図５Ｂに示すように、Ｈ形状とされ、その隆起状平板部４ｑ、４ｒに対応する形状の切り欠き４ｑ’、４ｒ’が形成されている。ボディ用背面壁補強板金部材４はその隆起状平板部４ｑ、４ｒにより剛性が付与されている。
【００５５】
ボディ用背面壁補強板金部材４と樹脂板３０とは、その隆起状平板部４ｑ、４ｒを切り欠き４ｑ’、４ｒ’に対応させ、ガイド突起４ｊと摺接リブ４ｋと矩形状突起４ｍとを有する隆起部３０ｓ、３０ｓを挿入開口４ａ、４ａに挿入し、摺接リブ４ｎを有する隆起部３０ｓ’、３０ｓ’を挿入開口４ｓ、４ｓに挿入し、隆起部３０ｓ”を挿入開口４ｔに挿入した状態で、図４、図５Ａ、図５Ｃに示すように、止めネジ４ｆ’により背壁部１Ｂに固定される。
【００５６】
（カメラボディ１の側壁部１Ｃと上壁部１Ｄとの構造、背壁部１Ｂの背面構成）
側壁部１Cには、側面壁としてのボディ用側面壁補強板金部材６が図４、図５Ｃに示すように止めネジ６ｆにより固定されている。このボディ用側面壁補強板金部材６は筐体２Ａの凹部１Ａへのセット時にその筐体２Ａの左側面２ｃに対面する。このボディ用側面壁補強板金部材６は、背壁部１Bが下側に位置しかつ上壁部１Dが右側に位置ししかも前方が上側となるようにして、このボディ用側面壁補強板金部材６を直視したときに上方に向かって起立されているように見える。
【００５７】
上壁部１Dには、上面壁としてのボディ用上面壁補強板金部材５が図５Ｃに示すように止めネジ５ｆにより固定されている。このボディ用上面壁補強板金部材５は、筐体２Ａの凹部１Ａへのセット時にその筐体２Ａの上面２ｄに対面する。ボディ用上面壁補強板金部材５は、上壁部１Dが上側に位置するようにして側壁部１Cを側方から直視したとき前方に向かって背壁部１Ｂから起立しているように見える。
【００５８】
カメラボディ１は、図５Ａ〜図５Ｃに示すように、その側壁部１Cに連接するグリップ部１ｃを有する。このグリップ部１ｃは、背面側から正面側に向かうＺ方向を前方と定義して前方、すなわち、光学系の光軸方向の被写体に向かう向きに膨出する膨出部１ｃ’と、膨出部１ｃ’と凹部１Ａとの間に存在する指掛け凹処１ｃ”とからなっている。その指掛け凹処１ｃ”は膨出部１ｃ’に隣接し、その指掛け凹処１ｃ”には、グリップ部１ｃを右手で握持したとき、中指から小指までを当てることが可能である。
【００５９】
グリップ部１ｃの内部には収納室が形成されている。この収納室には、電池、撮像装置に要求される各種の電装部品が内蔵されている。すなわち、この収納室には、電池、操作部の操作により撮像ユニット２を制御するのに用いる回路、撮像ユニット２により撮像された画像を処理する処理回路、撮像ユニット２により撮像されかつ処理回路により処理された画像を記録保存する記録媒体、電源回路、ストロボ制御回路、これらを構成する回路部品を搭載する回路基板等が収納される。
【００６０】
その背壁部１Bの背面には、図３に示すように、撮像ユニット２により撮像された画像データに基づき画像を表示する表示部としての表示面１ｂが設けられている。表示面１ｂには記録媒体に記録された画像が再生表示される。この背壁部１Ｂの大きさは表示面１ｂの大きさによって概略規定される。
【００６１】
（撮像ユニット側コネクタ部１１とカメラボディ側コネクタ部１２との概略構造）
撮像ユニット２には、図８に示すように、ボディ用側面壁補強板金部材６に対面する左側面２ｃに上下方向に延びる撮像ユニット側コネクタ部１１が設けられている。この撮像ユニット側コネクタ部１１は電気回路が配線されたコネクタ基板（プラグ基盤セット）に固定されている。このプラグ基盤セットは撮像ユニット２の内部にフローティング構造で配置される。撮像ユニット側コネクタ部１１は左側面２ｃから外方に向かって突出している。
【００６２】
このフローティング構造は、カメラボディ１に撮像ユニット２を装着して撮像ユニット側コネクタ部１１とカメラボディ側コネクタ部１２との電気的接合を図る際に、撮像ユニット側コネクタ部１１とカメラボディ側コネクタ部１２との取り付け誤差を吸収緩和して、その撮像ユニット側コネクタ部１１とカメラボディ側コネクタ部１２とを嵌合させる際に加わる応力を緩和する機能を果たす。
【００６３】
カメラボディ１には、図４に示すようにそのボディ用側面壁補強板金部材６に隣接して上下方向に延びるカメラボディ側コネクタ部１２が設けられている。このカメラボディ側コネクタ部１２はその上下方向両端部に位置決め突起１２ａ、１２ａを有する。撮像ユニット側コネクタ部１１はその上下方向両端部に位置決め穴（後述する）を有する。撮像ユニット側コネクタ部１１、カメラボディ側コネクタ部１２には、例えば、市販のベイコネクタが用いられる。
【００６４】
そのカメラボディ側コネクタ部１２は背壁部１Bが下側に位置しかつ上壁部１Dが右側に位置ししかも前方が上側に位置するようにしてボディ用側面壁補強板金部材６を正視したときに背壁部１Ｂから立ち上がって見える側壁部１Ｃの立ち上がり基部に不用意に触られないようにして配置されている。そのカメラボディ側コネクタ部１２は図１９、図２０に示すコネクタ端子１２ｃを被覆する被覆部材１２ｂを有する。この被覆部材１２ｂの作用は後述する。
【００６５】
カメラボディ側コネクタ部１２は凹部１Ａに臨んでいる。このカメラボディ側コネクタ部１２は、撮像ユニット２をカメラボディ１に装着セットする際の撮像ユニット２の右から左に向かう方向への移動に伴って撮像ユニット側コネクタ部１１に嵌合されて、カメラボディ１と撮像ユニット２とが接続される。なお、そのカメラボディ１への撮像ユニット２のセットの詳細、撮像ユニット側コネクタ部１１、カメラボディ側コネクタ部１２の詳細構造については後述する。
【００６６】
（側壁部１Ｃの補足説明）
側壁部１Ｃには、図４、図５Ａ〜図５Ｃに示すように、一対の補助嵌合突起１４、１４が上下方向に間隔を開けて形成されている。この補助嵌合突起１４は背壁部１Bが下側に位置しかつ上壁部１Dが右側に位置ししかも前方が上側となるようにして側壁部１Ｃを直視したときにカメラボディ側コネクタ部１２よりも上側に位置している。この一対の補助嵌合突起１４、１４は、不用意な捩れ力が撮像ユニット２に加わった際に後述する一対の補助嵌合穴と協働して、カメラボディ側コネクタ部１２のコネクタ端子１２ｃ、撮像ユニット側コネクタ部１１のコネクタ端子（後述する）が破壊されるのを防止する機能を有する。
【００６７】
（撮像ユニット２の外観形状の説明）
撮像ユニット２には、ボディ用側面壁補強板金部材６に対面される左側面２ｃに、図８に示すように、一対の補助嵌合穴２２が形成されている。この一対の補助嵌合穴２２には、カメラボディ１への撮像ユニット２の装着セット時に一対の補助嵌合突起１４、１４が嵌合される。その一対の補助嵌合穴２２の底部には、スポンジ、ゴム等の衝撃吸収部材２２ａが配設されている。なお、一対の補助嵌合穴２２を側壁部１Ｃに形成し、一対の補助嵌合突起１４、１４を筐体２Ａの左側面２ｃに形成する構成を採用しても良い。
【００６８】
筐体２Ａの背面部２ｂには、位置決め隆起部２ｇ、２ｇが図６、図９、図１０Ａに示すように、左側面２ｃの側に形成されている。また、筐体２Ａの背面部２ｂには、図１０Ａに示すように、係合突起案内溝２ｓ、矩形状凹処２ｈ、一対の円柱部２ｉが形成されていると共に、適宜箇所にネジ穴２ｊが形成されている。
【００６９】
その筐体２Ａの右側面２ｆの側には付勢部の一部を構成する付勢バネとしての傾斜弾性板部を有する板バネ２ｋが配設されている。この板バネ２ｋには、ネジ穴２ｍ、２ｍが形成されている。その板バネ２ｋの詳細構造については後述する。
ユニット用背面壁補強板金部材１０は図１１Ａ〜図１１Ｃに示すように概略矩形状とされている。そのユニット用背面壁補強板金部材１０にはその位置決め隆起部２ｇ、２ｇに対応して位置決め切り欠き１０ｃ、１０ｃが形成されている。
【００７０】
（ユニット用背面壁補強板金部材１０の構造）
ユニット用背面壁補強板金部材１０は矩形状凹処２ｈに対応する形状の平板状隆起部１０ｄを有する。その平板状隆起部１０ｄには一対の円柱部２ｉが嵌合する嵌合穴１０ｅが形成されている。そのユニット用背面壁補強板金部材１０の周辺部には、ネジ穴２ｊに対応する箇所にネジ穴１０ｆが形成されている。そのユニット用背面壁補強板金部材１０は止めネジ１０ｇにより背面部２ｂに固定される。板バネ２ｋはそのユニット用背面壁補強板金部材１０を止めネジ１０ｇにより筐体２Ａの背面部２ｂに固定する際に固定される。その板バネ２Ｋが筐体２Ａのユニット用背面壁補強板金部材１０と一体に背面部２ｂに固定されている状態が図１０Ｂに示されている。
【００７１】
ユニット用背面壁補強板金部材１０には、筐体２Ａにユニット用背面壁補強板金部材１０を取り付けた状態で、このユニット用背面壁補強板金部材１０を筐体２Ａの背面側から見たときに右側となる部分に左右方向に延びる係合突起案内穴１０ｈが形成されている。また、ユニット用背面壁補強板金部材１０には、筐体２Ａにユニット用背面壁補強板金部材１０を取り付けた状態で、このユニット用背面壁補強板金部材１０を筐体２Ａの背面側から見たときに左側となる部分でかつ辺縁１０ａ、１０ａに付勢部の一部としても機能する係合板部１０ｎ、１０ｎが形成されている。
【００７２】
その背面部２ｂとユニット用背面壁補強板金部材１０との間には、左右方向に延びるガイド突起４ｊの進入を許容する一対のガイド溝１０ｐ’、矩形状突起４ｍ及び係合爪４ｂの進入を許容するガイド溝１０ｑ、係合爪４ｂの切り起こし部４ｅを案内する係合爪切り起こし部用案内穴１０ｒが図６、図９に示すように形成されている。その係合板部１０ｎ、１０ｎには、その係合爪切り起こし部用案内穴１０ｒの終端に臨むようにして、その辺縁１０ｎ’、１０ｎ’に半円形状凸部１０ｓ、１０ｓが図１１Ａ〜図１１Ｃに示すように形成されている。その半円形状凸部１０ｓ、１０ｓは係合爪切り起こし部用案内穴１０ｒの終端に位置し、板バネ２ｋが存在する方向に向かって突出されている。この半円形状凸部１０ｓ、１０ｓの作用については、板バネ２ｋの作用と共に説明する。なお、符号１０ｐはガイド溝１０ｐ’、１０ｑの底壁を示す。
【００７３】
なお、一対のガイド溝１０ｐ’は、撮像ユニット側ガイド機構を構成し、その一対のガイド溝１０ｐ’のいずれか一方を撮像ユニット２の背面部２ｂに設けられて第１方向に対応する方向に延伸する第１ガイド溝といい、一対のガイド溝１０ｐ’のいずれか他方を撮像ユニット２の背面部２ｂに設けられて第１方向に対応する方向に延伸する第２ガイド溝という。
【００７４】
一対の係合爪４ｂは、カメラボディ側コネクタ部１２から遠い側に設けられているので、仮に係合突起４ｇがないものとすると、係合爪４ｂの切り起こし部４ｅが係合爪切り起こし部用案内穴１０ｒに案内されずに一対の係合爪４ｂの屈曲部４ｆが係合板部１０ｎに当接して、撮像ユニット２の背面部２ｂが背壁部１Ｂの背面壁に対して斜めに傾いた状態であっても、カメラボディ側コネクタ部１２と撮像ユニット側コネクタ部１１とが嵌合されて接続される可能性がある。
【００７５】
この撮像ユニット２の背面部２ｂが背壁部１Ｂの背面壁に対して斜めに傾いた状態でカメラボディ側コネクタ部１２と撮像ユニット側コネクタ部１１とが無理やりに嵌合されると、カメラボディ側コネクタ部１２と撮像ユニット側コネクタ部１１とが破壊されるおそれがある。
【００７６】
係合突起４ｇは係合突起案内穴１０ｈと協働して、そのカメラボディ側コネクタ部１２と撮像ユニット側コネクタ部１１との破壊を防止する役割を有する。その係合突起案内穴１０ｈは、図６、図９、図１１Ａ〜図１１Ｃに示すように、係合突起４ｇの屈曲部４ｈの進入を許容する挿入開口１０ｉと切り起こし部４ｉを左右方向に案内する係合突起切り起こし部用案内穴１０ｊとから構成されている。
【００７７】
その係合突起切り起こし部用案内穴１０ｊの幅は屈曲部４ｈの幅よりも小さく設計され、その係合突起切り起こし部用案内穴１０ｊ、挿入開口１０ｉを構成する構成壁部分（角度規制当接部）１０ｈ’は、屈曲部４ｈが構成壁部分１０ｈ’に当接することにより、カメラボディ側コネクタ部１２と撮像ユニット側コネクタ部１１との接続が阻止される構造となっている。
【００７８】
すなわち、図５Ａ、図５Ｃ、図７Ａ〜図７Ｃに示す一対の係合爪４ｂ、４ｂの右方端縁４ｂ’、４ｂ’が、図６、図９、図１１Ａ〜図１１Ｃに示す傾斜壁１０ｑｓを構成する構成壁部分に当接するときには、必ず図４、図５Ａ、図５Ｃ、図７Ａ〜図７Ｃに示す係合突起４ｇの端縁４ｇｓが傾斜壁１０ｉｊの構成壁部分１０ｈ’に当接するように挿入開口１０ｉが形成されている。
【００７９】
これにより、係合爪４ｂの屈曲部４ｆが係合板部１０ｎに外側から当接して乗り上げているときには、係合爪４ｇの屈曲部４ｈが構成壁部分１０ｈ’に外側から当接して乗り上げることになり、背壁部１Ｂの背面壁に対して撮像ユニット２が平行に浮いた状態となり、補助嵌合突起１４と補助嵌合穴２２との位置関係がずれるので、カメラボディ側コネクタ部１２と撮像ユニット側コネクタ部１１との接続が阻止される。
なお、屈曲部４ｆが係合板部１０ｎに対して撮像ユニット２の内側に配置される場合には、両コネクタ部１１、１２は平行状態で接続される。
【００８０】
（ユニット用上面壁補強板金部材２０の説明）
筐体２Ａの上面２ｄには、図４、図６、図８、図１２に示すユニット用上面壁補強板金部材２０が配設される。そのユニット用上面壁補強板金部材２０は図１２に示すようにネジ穴２０ａを適宜箇所に有する。このユニット用上面壁補強板金部材２０は、筐体２Ａの左側面２ｃよりも外方に向かって延長された延長板部２０ｂを有する。
【００８１】
その筐体２Ａの上面２ｄには、図９に示すように、ユニット用上面壁補強板金部材２０の配設箇所２ｔがユニット用上面壁補強板金部材２０の周辺を包囲する包囲壁２ｘにより形成されている。その配設箇所２ｔにはユニット用上面壁補強板金部材２０のネジ穴２０ａに対応する箇所にネジ穴２ｙが形成されている。ユニット用上面壁補強板金部材２０はその配設箇所２ｔに配置されて、図４、図６、図８に示すように止めネジ２０ｚにより上面２ｄに固定される。
【００８２】
これにより、延長板部２０ｂは撮像ユニット側コネクタ部１１の上面に沿って延在された状態となる。延長板部２０ｂには、図１２に示すように、切り欠き部２０ｃと被ロック部材としての被ロック爪２０ｄとが形成されている。その切り欠き部２０ｃには後述するロック部材としてのロック爪が進入する。その被ロック爪２０ｄは後述するロック部材の切り欠き部に進入される。その被ロック爪２０ｄは傾斜壁２０ｅを有する。撮像ユニット２はこのロック部材と被ロック部材との係合によりカメラボディ１に固定される。
【００８３】
撮像ユニット２がカメラボディ１に固定された状態では、図１、図２に示すように、ユニット用上面壁補強板金部材２０はその包囲壁２ｘにより包囲されているので、正面から撮像ユニット２を見ても視認できない状態となっている。これにより、撮像装置としての外観上の見栄えの向上、撮像ユニット２の上面２ｄとカメラボディ１の上壁部１Ｄとの間への塵埃の進入等の防止が図られている。
【００８４】
（ロック機構、ロック解除機構の説明）
カメラボディ１には、図１３、図１４に示すロック機構２４が設けられている。このロック機構２４は、側壁部１Ｃと上壁部１Ｄとの交差部分（角部）に位置している。このロック機構２４は、撮像ユニット２をロックする機能を有する。このロック機構２４は、図５Ｃに示すように、凹部１Ａに筐体２Ａを配設した状態で筐体２Ａを斜め方向から見たときにこの筐体２Ａに対して左上隅近傍に位置されている。
【００８５】
そのロック機構２４は、ロック部材としてのロック板２５（図１５、図１６参照）と、支軸２７と、ストッパ２７ａとから概略構成されている。ストッパ２７ａはカメラボディ１に固定されている。そのロック板２５は被ロック部材としての被ロック爪２０ｄと協働して撮像ユニット２をロックする役割を果たす。ロック解除機構２４’は、ロック解除操作部材（ロック解除板）２６（図１７、図１８参照）と、支軸２７と、ストッパ２７ｂとから概略構成されている。そのストッパ２７ｂはカメラボディ１に固定されている。ロック解除操作部材２６はロック板２５による撮像ユニット２のカメラボディ１に対するロックを解除する役割を果たす。
【００８６】
カメラボディ１を正面から見たとき、従来の一眼レフレックスカメラの交換鏡胴ユニットの取り外しボタンの位置と比較して同じような位置にロック解除操作部材２６が設けられているので、従来の交換レンズ鏡胴式の一眼レフレックスカメラに慣れている人が使用した場合でも、撮像ユニット２の取り外し操作を行い易く、誤操作が起きにくい。よって、誤操作によるリスクの軽減を図りつつ撮像ユニットの取り外しの容易なカメラボディ１を提供できる。
【００８７】
ロック板２５は、図１５、図１６に示すように、軸穴２５ａと、切り欠き部２５ｂと、ロック爪２５ｃとを有する。軸穴２５ａには支軸２７（図１３、図１４参照）が挿通される。そのロック爪２５ｃの爪先２５ｃ”は、カメラボディ１の背面側から正面側に向かう方向を前方と定義して、前方に向けられている。なお、被ロック爪２０ｄの爪先２０ｄ’（図１４参照）は、撮像ユニット２が凹部１Ａに配置された状態で背壁部１Ｂに臨む方向に向いている。すなわち、被ロック爪２０ｄの爪先２０ｄ’は、カメラボディ１の正面側から背面側に向かう方向を後方と定義して、後方に向けられている。
【００８８】
ロック板２５は、図示を略す付勢手段により、支軸２７を中心にして前方（図１４において矢印Ｆ３方向）に向けて回動付勢されている。ストッパ２７ａはその付勢手段によるそのロック板２５の回動停止位置を規制する役割を果たす。ロック爪２５ｃと被ロック爪２０ｄとが係合していない時には、ロック板２５は付勢手段の回動付勢によって、ストッパ２７ａに当接した状態で保持される。
【００８９】
ロック解除操作部材２６はストッパ２７ａから離反している。ロック爪２５ｃには傾斜壁２５ｃ’が形成されている。この傾斜壁２５ｃ’は、カメラボディ１に対して撮像ユニット２を右から左へ向けて移動させて撮像ユニット２をカメラボディ１に装着セットする際に、傾斜壁２０ｅと係合して、ロック板２５を支軸２７を支点にして後方に回動させる分力を生じさせる。
【００９０】
ロック解除操作部材２６は、図１７、図１８に示すように、軸穴２６ａと、解除突起２６ｂと、係止突起２６ｃと、ロック解除ボタン２６ｄとを有する。軸穴２６ａには、ロック板２５を回動可能に支持する支軸２７が挿通される。支軸２７は、軸穴２５ａ及び軸穴２６ａに挿入され、カメラボディ１に固定される。
【００９１】
解除突起２６ｂは、ロック板２５の側面２５ｆに当接してロック板２５を解除方向（Ｆ３と反対方向）に回動させる役割を果たす。係止突起２６ｃにはロック解除用スプリング２８の一端部２８ａが係止される。ロック解除用スプリング２８の他端部２８ｂは側壁部１Ｃの内部の適宜箇所に設けられた係止突起（図示を略す）に係止される。ロック解除用スプリング２８は、ロック解除操作部材２６を支軸２７を中心にして前方に向けて回動付勢する役割を果たす。
【００９２】
ストッパ２７ｂは、そのロック解除用スプリング２８の回動付勢力によるロック解除操作部材２６の回動停止位置を規制する役割を果たす。このロック解除操作部材２６は、非操作時には、ストッパ２７ｂに当接されている。このロック解除操作部材２６の操作時にはロック解除操作部材２６は、ストッパ２７ｂから離間し、ストッパ２７ａに接近する方向に回動される。このロック解除操作部材２６の操作方向への回動量はストッパ２７ａによって規制される。
【００９３】
ロック解除ボタン２６ｄは、図１、図２に示すように、上壁部１Ｄが存在する側を上にしたとき、指掛け凹処１ｃ”よりも上側に位置している。すなわち、指掛け凹処１ｃ”はロック解除操作部材２６の下側に位置している。そのロック解除ボタン２６ｄは、グリップ部１ｃから外方に向かって突出する指当て部２６ｅを有する。
【００９４】
グリップ部１ｃの上方は、通常、撮影の際にグリップ部を把持するための邪魔にならない位置であり、不用意に操作し難い位置であるので、より一層誤操作のリスクを回避しつつ撮像ユニットの取り外しの容易なカメラボディを提供できる。更に、グリップ凹部よりも上方の位置でかつグリップ凸部を握持する際に指が当たりにくい位置に、ロック解除操作部材２６を設けたので、誤操作の懸念を更に低減できる。
【００９５】
この実施例では、そのロック解除ボタン２６ｄは、グリップ部１ｃの外観形状に倣うようにして回動される。ロック板２５とロック解除操作部材２６とは、互いに重なり合わされて、支軸２７を支点にして回動され、ロック板２５はロック解除ボタン２６ｄとの回動平面と略同一平面内で回動される。
【００９６】
（カメラボディ側コネクタ部１２及び撮像ユニット側コネクタ部１１の詳細構造）
側壁部１Ｃには、図１９、図２０に示すように、凹部１Ａに向かって開放する嵌合用の開口部５２が撮像ユニット側コネクタ部１１に対応して形成されている。この開口部５２内にはコネクタ本体５３が配設される。カメラボディ側コネクタ部１２は、その開口部５２内にコネクタ本体５３を配置することにより構成される。ボディ用側面壁補強板金部材６はその開口部５２を避けるようにして配置されている。
【００９７】
ここでは、図２０に示すように、ボディ用側面壁補強板金部材６は背壁部１Ｂを下側にしてかつ上壁部１Ｄを右側にして側壁部１Ｃを正面から見たときに、上辺板部６ａと下辺板部６ｂとこれらを連結する連結板部６ｃとから構成されている。その連結板部６ｃは左側に位置し、ボディ用側面壁補強板金部材６の右側は開放されている。
この開口部５２は、側壁部１Ｃに設けられたコネクターカバー部材５４と側壁部１Ｃ及び背壁部１Ｂとにより輪郭形状が規定される。そのコネクタ本体５３は、コネクタ端子１２ｃが被覆部材１２ｂに覆われて構成されている。
【００９８】
このコネクタ本体５３は、カメラボディ１と撮像ユニット２との間でのデータ転送（通信）を可能とするために、図２１に示す撮像ユニット側コネクタ部１１のコネクタ本体６０と接続される。
【００９９】
コネクタ端子１２ｃは、撮像ユニット側コネクタ部１１のコネクタ本体６０のコネクタ端子６１との相対的な左右方向への移動によりコネクタ端子６１と電気的な接続が可能とされている。ここでは、コネクタ端子１２ｃはメス型である。また、コネクタ端子６１は雄型である。なお、コネクタ端子６１は包囲部材６２により包囲される。包囲部材６２とコネクタ端子６１との間には、図８に示すように、位置決め突起１２ａ、１２ａが嵌合される位置決め穴６３が形成されている。
【０１００】
コネクタ端子１２ｃは、カメラボディ１に固定されたコネクタ基板５１に接続されている。このコネクタ基板５１には、操作部の操作により撮像ユニット２を制御するのに用いる回路、撮像ユニット２により撮像された画像を処理する処理回路等の電気回路が配線されている。
【０１０１】
被覆部材１２ｂは、コネクタ端子１２ｃを被覆可能な長尺形状を呈している。この被覆部１２ｂは、カメラボディ１に撮像ユニット２を装着するとき、人の手が触れて、人体にたまっている静電気の放電により、電気回路、電気素子等が静電破壊されるのを防止する役割を有する。
【０１０２】
カメラボディ側コネクタ部１２には、開口部５２とコネクタ本体５３との大きさ寸法の差異により、コネクタ本体５３を取り囲む環状溝５７が形成される。この環状溝５７は、撮像ユニット側コネクタ部１１の嵌合用の突出部としてのコネクタカバー部分５９が、互いに接続されたコネクタ本体５３とコネクタ本体６０とを取り囲みつつ内方に入り込むことのできる大きさ寸法とされている。その環状溝５７にはコネクタ本体５３を包囲する矩形状の封止部材５８が設けられている。なお、ロック板２５は、図２０に示すように、環状溝５７内で、その封止部材５８よりも上壁部１Ｄに近接して配設されている。
そのコネクタカバー部分５９は筐体２Ａの左側面２ｃから突出されている。コネクタ本体６０はそのコネクタカバー部分５９内に配設されている。
【０１０３】
その封止部材５８は、ゴム（弾性樹脂材料）やスポンジ（海綿状の樹脂材料）のような弾性変形可能な材料で構成されたシート状とされている。この封止部材５８は接着剤等によって環状溝５７を構成する環状壁に固着されている。
封止部材５８は、図２２に示す互いに接続状態にあるコネクタ本体５３（コネクタ端子１２ｃ）とコネクタ本体６０（コネクタ端子６１）とに、塵埃や液体等が付着することを防止する防塵機能や防水機能を有する。
【０１０４】
図２２に示すように、この撮像ユニット２がカメラボディ１の凹部１Ａに適切に装着されると、筐体２Ａの左側面２ｃが側壁部１Ｃすなわちボディ用側面壁補強板金部材６に当接されて、凹部１Ａ内での左右方向の位置決めが為される。
【０１０５】
また、撮像ユニット２がカメラボディ１の凹部１Ａに装着された状態で、撮像ユニット側コネクタ部１１のコネクタカバー部分５９（図２１参照）が、カメラボディ側コネクタ部１２の環状溝５７に遊嵌され、一対の位置決め穴６３と一対の位置決め突起１２ａとにより撮像ユニット側コネクタ部１１のコネクタ本体６０がカメラボディ側コネクタ部１２のコネクタ本体５３に適切に連結されて、カメラボディ１と撮像ユニット２とが電気的に通信可能に接続される。
【０１０６】
このとき、撮像ユニット側コネクタ部１１のコネクターカバー部分５９の先端は、カメラボディ側コネクタ部１２の環状溝５７に設けられた封止部材５８を圧接する。
コネクタカバー部分５９の先端が封止部材５８を圧接することにより、コネクターカバー部分５９の先端と封止部材５８との間を確実に封止することができる。従って、塵埃や液体等が、カメラボディ１の凹部１Ａから撮像ユニット２のコネクタ部１１のコネクタ本体６０のコネクターカバー部分５９の内方へ侵入するのを防止できる。
【０１０７】
（板バネ２ｋの形状説明）
図２３は板バネ２ｋの外観形状を示す拡大斜視図である。図２４は板バネ２ｋとユニット用背面壁補強板金部材１０とボディ用背面壁補強板金部材４との係合完了状態での位置関係を示す図である。
板バネ２ｋは、図１０Ｂ、図２３、図２４に示すように、取付け板部ｋ１と自由板部ｋ２を有する。この取り付け板部ｋ１と自由板部ｋ２とは概略平行の構成とされ、図６、図１０Ｂに示す撮像ユニット２の一対の係合爪切り起こし部用案内穴１０ｒと直交する方向に延びている。
【０１０８】
一対のネジ穴２ｍ、２ｍはその一対の取り付け板部ｋ１に間隔を開けて形成されている。その取付け板部ｋ１はそのネジ穴２ｍ、２ｍの形成箇所から係合爪切り起こし部用案内穴１０ｒと平行に延びる一対の平行板部ｋ３、ｋ３を有する。この一対の平行板部ｋ３、ｋ３は係合爪切り起こし部用案内穴１０ｒとガイド溝１０ｑとの境界近傍で同一平面内でガイド溝１０ｑに向かう方向に直角に延在された直交板部ｋ３’、ｋ３’を有する。その一対の直交板部ｋ３’、ｋ３’は自由板部ｋ２の延びる方向両端部で互いに連結されている。
【０１０９】
その図２３、図２４において、符号ｋ４、ｋ４はその一対の直交板部ｋ３’、ｋ３’と自由板部ｋ２とを連結する連結板部を示している。その一対の連結板部ｋ４、ｋ４は、図２３に示すように、傾斜弾性板部ｋ５、ｋ６と当接板部ｋ７とから構成されている。この一対の連結板部ｋ４、ｋ４は係合爪切り起こし部用案内穴１０ｒに沿って延びている。
【０１１０】
一対の係合爪４ｂ、４ｂの屈曲部４ｆ、４ｆは、ユニット用背面壁補強板金部材１０を基準にしてこのユニット用背面壁補強板金部材１０よりも撮像ユニット２の内側から、その連結板部ｋ４、ｋ４に対面する構成、言い換えると、その連結板部ｋ４、ｋ４に臨む構成とされている。
その傾斜弾性板部（付勢板バネ）ｋ５、ｋ６は、係合爪４ｂ、４ｂに臨む係合板部１０ｎ、１０ｎの面に位置して、撮像ユニット２を背壁部１Ｂに向けて付勢する。
【０１１１】
屈曲部４ｆが撮像ユニット２の外側から係合板部１０ｎに当接する場合、係合突起４ｇがないものとすると、撮像ユニット２がカメラボディ１のボディ用背面壁補強板金部材４に対して斜めに傾いた状態で両コネクタ部１１、１２同士が接続される可能性があるが、この発明の実施の形態によれば、後述する理由によりこのような問題は生じない。
【０１１２】
なお、屈曲部４ｆが、図２６、図２７に示すように、係合板部１０ｎに対して撮像ユニット２の内側に位置している場合には、係合突起４ｇの有無に拘わらず撮像ユニット２がカメラボディ１のボディ用背面壁補強板金部材４に対して斜めに傾いた状態で両コネクタ部１１、１２同士が接続されるという可能性は生じない。
【０１１３】
その当接板部ｋ７には、撮像ユニット２がカメラボディ１に適切に装着された状態で、すなわち、撮像ユニット側コネクタ部１１とカメラボディ側コネクタ部１２とが接続された状態で、一対の係合爪４ｂ、４ｂが当接可能とされている。
【０１１４】
そのユニット用背面壁補強板金部材１０には、図２４〜図２６に示すように、ユニット用背面壁補強板金部材１０の係合板部１０ｎ、１０ｎに係合爪４ｂが係合完了した状態では、傾斜弾性板部ｋ５、ｋ６の弾性変形による付勢力によりボディ用背面壁補強板金部材４に向かう方向の押圧力が加わる。これにより、撮像ユニット２がカメラボディ１に押しつけられる。また、半円形状凸部１０ｓが係合爪４ｂの屈曲部４ｆに当接し、屈曲部４ｆとユニット用背面壁補強板金部材１０との間に寸法誤差に起因する隙間があったとしても、この寸法誤差に基づくガタ付きは、図２７に示すように、板バネ２ｋの弾性変形と半円形状凸部１０ｓとにより吸収される。なお、図２７には板バネ２ｋの弾性変形前の状態が二点鎖線で示されている。
【０１１５】
（樹脂板３０の摺接リブ４ｋ、４ｎの機能の説明及び樹脂板３０の構成の補足説明）
摺接リブ４ｋの機能と摺接リブ４ｎとの機能は同一であるので、ここでは、図２８、図２９を参照しつつ摺接リブ４ｎの機能を説明する。
【０１１６】
カメラボディ１に対して撮像ユニット２を左右方向にスライドさせて撮像ユニット２をカメラボディ１に対して着脱する際に、ユニット用背面壁補強板金部材１０がボディ用背面壁補強板金部材４に直接接触する構成とすると、ボディ用背面壁補強板金部材４とユニット用背面壁補強板金部材１０との金属同士の擦過に起因する金属音が発生するが、この実施例によれば、撮像ユニット２をカメラボディ１に対して左右方向にスライドさせる際に、ユニット用背面壁補強板金部材１０が図２８、図２９に示すように、樹脂製の摺接リブ４ｎに摺接しながら左右方向に摺動する構成であるので、金属同士の擦過に起因する金属音の発生を回避できる。
【０１１７】
また、樹脂板３０を背壁部１Ｂの凹処に配設する構成として、撮像ユニット２を背壁部１Ｂに向けて押し付けると、背壁部１Ｂと樹脂板３０との間の寸法公差に起因して、樹脂板３０が弾性変形して反り返り、樹脂板３０の反り返りに基づきいわゆる「ぱくつき音」が発生するが、この実施例では、樹脂板３０の背壁部１Ｂに臨む側の面であって適宜箇所に、図２５〜図２９に示すように、半球形状突部３０ｔが複数個形成され、背壁部１Ｂと樹脂板３０との間の寸法公差を吸収する構成とすることにより、寸法公差に起因する反り返り、弾性変形を防止することにより、反り返りに起因する「ぱくつき音」の発生を回避する構成とされている。
【０１１８】
（カメラボディ１、撮像ユニット２に搭載される電装部品の回路構成）
次に、図３０を参照しつつカメラボディ１、撮像ユニット２に搭載される電装部品について説明する。
カメラボディ１には、例えば、図３０に示すように、リチウムイオンバッテリ２０４、ストロボ発光部２０７（５ａ）、電子ビューファインダー装置２０９、表示部としての表示面１ｂを有する液晶表示装置（ＬＣＤ）２１０、ハイビジョンテレビジョンコネクタインタフェース（ＨＤＭＩＩＦ）２１２、オーディオビデオ（ＡＶOUT）出力端子２１３、ＵＳＢインターフェース（USBIF）２１４、ＳＤカードインタフェース（SDｃaｒｄ）２１５、オーディオコーデック回路（AUｄiｏ  ｃｏｄeｃ）２１６、スピーカ２１７、マイクロフォン２１８、画像データを記憶する記録媒体としてのフラッシュＲＯＭ（Ｆｌａｓｈ  ＲＯＭ）２１９、ＤＤＲ−ＳＤＲＡＭ２２０、画像データを受信する受信部としても機能するメインＣＰＵ２０８、撮像指示を与える操作スイッチ２０６、２１１、操作スイッチ２０６からの撮像指示を受け付ける撮像指示受付部としてのサブＣＰＵ（Ｓuｂ  CPU）２０５、ＤＣ／ＤＣ電源回路２０３、スイッチング素子２０２、カメラボディ側コネクタ部１２のコネクタ端子２０１（１２ｃ）が設けられている。
【０１１９】
これらは、撮像装置としてのデジタルカメラに要求される公知の機能を有する電装部品の一部を構成している。その操作スイッチ２０６は例えばレリーズボタン５ｙであり、操作スイッチ２１１は例えば液晶表示装置（ＬＣＤ）２１０等を操作する操作キーである。その液晶表示装置（ＬＣＤ）２１０は例えば背壁部１Bに設けられている。その操作スイッチ２１１はその背壁部１Bの適宜箇所に設けられる。
【０１２０】
撮像ユニット２の筐体２Ａには、光学系としての撮像レンズユニット１０７、撮像素子１０８、ＡＦＥ回路１０９、ホール素子（Hall  eｌeｍnｔ）１０４、駆動コイル（Coiｌ）１０５、ジャイロセンサ（Gｙｒoｓenｓoｒ）１０６、駆動ドライバ（Moｔoｒ  Dｒiｖeｒ）１１１、駆動モータ（M）１１０、加速度検出センサ１１２、テレワイド検出スイッチ１１３、画像データを送信する撮像ユニットコネクタ部１１のコネクタ端子１１６（６１）が設けられている。
【０１２１】
これらも撮像装置としてのデジタルカメラに要求される公知の機能を有する実装部品の一部を構成している。その撮像レンズユニット１０７は複数個のレンズを有し、この複数個のレンズ系の一部は可動鏡筒３ｂに設けられている。なお、この実施例では、駆動モータ（M）１１０、駆動ドライバ１１１を撮像ユニット２に設ける構成として説明しているが、これらはカメラボディ１に設ける構成とすることもできる。
【０１２２】
ここでは、撮像ユニット２にはカメラボディ１から電源電力が供給される。例えば、ホール素子１０４、駆動コイル１０５、ジャイロセンサ１０６は手ぶれ補正機構の一部を構成している。この手ぶれ補正機構の信号はコネクタ端子１１６、２０１を介してメインＣＰＵ２０８に入力され、メインＣＰＵ２０８はこれらの信号に基づき手ぶれ補正処理を実行する。手ぶれ補正処理は、手ぶれによって発生する撮像素子の受光面上に投影される画像のぶれを補正する処理である。
【０１２３】
例えば、ジャイロセンサ１０６により検出したぶれの方向と反対の方向に撮像素子を駆動する処理であっても良いし、また、ジャイロセンサ１０６により検出したぶれの方向と同一の方向に撮像レンズユニット１０７の一部の光学素子を駆動する処理であっても良い。撮像素子１０８の映像信号はＡＦＥ回路１０９を介してメインＣＰＵ２０８に入力され、所定の画像処理が施されて液晶表示装置（ＬＣＤ）２１０等に表示される。
【０１２４】
テレワイド検出スイッチ１１３はコネクタ端子１１６、２０１を介してメインＣＰＵ２０８に入力され、メインＣＰＵ２０８はテレワイド検出スイッチ１１３、操作スイッチ２１１等のスイッチ信号に基づいて駆動ドライバ１１１、駆動モータ１１０を制御し、これにより、撮像レンズユニット１０７を駆動制御する。加速度検出センサ１１２の検出出力は、コネクタ端子１１６、２０１を介してメインＣＰＵ２０８に入力され、メインＣＰＵ２０８はその加速度検出センサ１１２の検出出力に基づいて液晶表示装置（ＬＣＤ）２１０に表示される画像の傾きを制御する。液晶表示装置（ＬＣＤ）２１０には、加速度検出センサ１１２の検出出力に基づいて、水平に対する撮像ユニット２の傾き具合が表示される。水平に対する撮像ユニット２の傾き具合は、数値による表示であっても、映像による表示あっても良い。
【０１２５】
操作スイッチ２０６を操作すると、その撮像指示に基づいて、撮像ユニット２が被写体を撮像して画像データに変換する。コネクタ端子１１６はこの画像データをメインＣＰＵ２０８に送信する。
【０１２６】
その撮像ユニット２に、図３１に示すように、ＤＣ／ＤＣ電源回路１０１、サブＣＰＵ１０２、メインＣＰＵ１０３、フラッシュＲＯＭ１１４、ＤＤＲＳＤＲＡＭ１１５を設け、メインＣＰＵ１０３で画像処理を行った後、コネクタ端子１１６、２０１を介して画像処理信号をメインＣＰＵ２０８に送信する構成を採用することもできる。メインＣＰＵ１０３でＪＰＥＧ等のフォーマットへの圧縮処理を行い、コネクタ端子１１６、２０１を介して圧縮された画像データをメインＣＰＵ２０８に送信する構成を採用することもできる。このように、撮像ユニット２で画像処理、又は、圧縮処理を行う構成とすると、ノイズの少ない安定した画像をカメラボディ１のメインＣＰＵ２０８に送信することができる。これらの電装部品は後述する電装基盤に配設される。
【０１２７】
このように、この発明の実施例によれば、図１、図２に示すように、同一のカメラボディ１に対して、異なる大きさの撮像ユニット２を着脱可能である。なお、撮像ユニット２をカメラボディ１に装着したときに、撮像ユニット２の筐体２Ａの下面とカメラボディ１の下面とが面一となるように、カメラボディ１、撮像ユニット２を構成すると、撮像ユニット２が装着されたカメラボディ１の取り扱いが容易になる。更に、異なる大きさの撮像ユニット２をカメラボディ１に装着したときはいつでも、撮像ユニット２の筐体２Ａの下面とカメラボディ１の下面とが面一となるように、カメラボディ１、撮像ユニット２を構成すると、いずれの撮像ユニット２が装着されたカメラボディ１でも、取り扱いが容易となる。
【０１２８】
カメラボディ１の凹部１Ａは三方向（右、下、前）に開放され、カメラボディ１に対する撮像ユニット２の大きさの制約が緩和されているので、顧客のニーズに合わせて大型の高感度撮像素子や小型の撮像素子を撮像ユニット２に配設することができ、左右上下前後方向に大きさの違う撮像ユニット２を共通のカメラボディ１に着脱できる。また、例えば、撮像ユニット２のレンズ鏡胴３の大きさの自由度を従来に較べて向上させたので、単焦点レンズから高倍率ズームレンズまでの多種多様の交換レンズ群ユニットとして、撮像ユニットを提供できる。従って、顧客は、撮像素子１０８の進歩に応じて撮像ユニット２のみを購入し、グレードアップを図ることができることになる。
【０１２９】
カメラボディ１の凹部１Ａは、右と下との２方向が開放されていることにより、左右上下方向に大きさの異なる撮像ユニット２を装着することが可能である。よって、カメラボディ１に対する撮像ユニット２の大きさの制約が緩和されているので、顧客のニーズに合わせて大型の高感度撮像素子や小型の撮像ユニット２に配設することができ、レンズ鏡胴３や撮像素子の異なる、大きさの違う撮像ユニット２を共通のカメラボディ１に着脱できる。また、例えば、撮像ユニット２のレンズ鏡胴３の大きさの自由度を従来に較べて向上させたので、単焦点レンズから高倍率ズームレンズまでの多種多様の交換レンズ群ユニットとして、撮像ユニット２を提供できる。従って、顧客は、撮像素子１０８の進歩に応じて撮像ユニット２のみを購入し、グレードアップを図ることができることになる。
【０１３０】
この発明の実施の形態によれば、既述したように、同一のカメラボディ１に対して、大きさの異なるレンズ鏡胴３や大きさの異なる撮像素子を有し、凹部に配設される筐体の大きさが異なる複数の撮像ユニット２を着脱可能である。図２に示す撮像ユニット２のレンズ鏡胴３は図１に示す撮像ユニット２のレンズ鏡胴３よりも長く、光学系が大きい。なお、撮像ユニット２の筐体２Ａの下面２ｅとカメラボディ１の下面とは撮像ユニット２をカメラボディ１に装着したときに面一となるように、カメラボディ１、撮像ユニット２を構成するのが望ましい。
【０１３１】
すなわち、ここでは、カメラボディ１の凹部１Ａは三方向に開放され、カメラボディ１に対する撮像ユニット２の大きさの制約が緩和されているので、顧客のニーズに合わせて大型の高感度撮像素子や小型の撮像素子を撮像ユニット２に配設することができ、レンズ鏡胴や撮像素子の異なる撮像ユニット２を共通のカメラボディ１に着脱できる。また、例えば、撮像ユニット２のレンズ鏡胴３の大きさの自由度を従来に較べて向上させたので、単焦点レンズから高倍率ズームレンズまでの多種多様の交換レンズ群ユニットとして、撮像ユニットを提供できる。従って、顧客は、撮像素子１０８の進歩に応じて撮像ユニット２のみを購入し、グレードアップを図ることができることになる。また、両コネクタ部１１、１２にベイコネクタを用いると、短時間で画像データの転送を行うことができる。
【０１３２】
なお、従来の交換レンズ用レンズマウントの規格では、撮像素子の大きさ、レンズマウントと撮像素子との間の光軸方向の距離（フランジバック）、レンズマウントの直径、等について制約があった（例えば、フォーサーズシステム(Four Thirds System)等）。この制約により、カメラ全体としての薄型化・小型化には限界があった。
【０１３３】
これに対して、本発明では、撮像素子の大きさ、光学系と撮像素子との間の光軸方向の距離、レンズ鏡筒の直径、等を撮像ユニット毎に自由に設定できる。撮像ユニット毎の用途に応じて、様々な光学系と様々な種類・大きさの撮像素子（種類：ＣＯＭＳ，ＣＣＤなど。大きさ：ＡＳＰ−Ｃ、2/3インチ型、1/2.33型など）とを自由に組合せることができる。
【０１３４】
また、カメラ全体として薄型化・小型化を行う際には、撮像ユニット２の光軸方向の長さをより短くすること、及び、レンズ鏡筒の直径をより小さくすることが可能となり、撮像ユニット全体の大きさを小さくすることができる。
【０１３５】
一方、カメラの撮像性能を向上させる場合には、より大型の撮像素子と、より大きな光学系とを組み合わせることができ、カメラの各種撮像性能を向上させることができる。この場合にも、光学系と撮像素子の組合せの自由度が高く、光学系と撮像素子と併せて最適に設計できるので、撮像性能を向上させつつ、撮像ユニット全体の大きさを小さくすることができる。なお、用途に応じて、大きな光学系と小さな撮像素子とを組合せたり、小さな光学系と大きな撮像素子とを組み合わせることも可能である。
【０１３６】
更に、カメラ全体として薄型化・小型化を行った撮像ユニットと、カメラの撮像性能を向上させた撮像ユニットとを同一のカメラボディに着脱可能であることにより、様々な特徴を持つカメラから構成される撮像システム全体を、軽量化・小型化することができる。すなわち、本発明により、デジタルカメラ（撮像装置）そのもの、及び撮像システム全体をより小型にでき、携帯性を向上させることができる。
【０１３７】
また、カメラボディ１と撮像ユニット２との間で通信を行う両コネクタ部１１、１２に、６８ピンのベイコネクタを用いたので、短時間で容量の大きい画像データの転送を行うことができる。なお、カメラボディ１と撮像ユニット２との間の通信を行うために、その他の方式、例えば、無線通信方式、光通信方式、嵌合せずに当接によって通信を行う接触通信方式等を用いても良い。
【０１３８】
また、両コネクタ部１１、１２は、カメラボディ１から撮像ユニット２への電力の供給も行う（図３１参照）。本実施例では、両コネクタ部１１、１２が通信及び電力供給の両方を行うので、コネクタの抜き差しを行う際の不具合が発生しにくいが、通信用コネクタと電力供給用コネクタを別個に設ける構成としても良い。
【０１３９】
（カメラボディ１への撮像ユニット２の装着手順）
カメラボディ１への撮像ユニット２の装着手順を概略説明すると、撮像ユニット２は図３２において、Ｚ方向の負の側の向きに移動されることにより、カメラボディ１の背面部１Ｂにセットされる。ついで、撮像ユニット２はＸ方向の負の向き（左向き）に移動されることにより、カメラボディ側コネクタ部１２と撮像ユニット側コネクタ部１１とが嵌合される。
係合突起（角度規制部材）４ｇは、この状態のとき、左右方向（ＸＹ方向）で見て、側壁部１Ｃと付勢部との間に位置している。
【０１４０】
また、撮像ユニット２は、カメラボディ側コネクタ部１２と撮像ユニット側コネクタ部１１とが嵌合された状態において、撮像ユニット２をカメラボディ１に対してＸ方向の正の向き（右向き）に移動されることにより、カメラボディ側コネクタ部１２と撮像ユニット側コネクタ部１１との嵌合が解除される。
従って、撮像ユニット２がカメラボディ１の側壁部１Ｃの側面壁に対して着脱される方向は、Ｘ方向（左右方向）である。
【０１４１】
次に、カメラボディ１に撮像ユニット２をセットする手順について以下詳細に説明する。
カメラボディ１の背壁部１Ｂを下側にして水平状態にする。たとえば、カメラボディ１を左手に載せて水平状態とする。カメラボディ１に対して撮像ユニット２を図３２に示す矢印Ｆ１方向（前から後の方向又は図３２においては上から下の方向）から近づけて、図３３に示すように、係合突起４ｇを挿入開口１０ｉに対向させ、係合爪４ｂと矩形状突起４ｍとをガイド溝１０ｑに対向させ、係合爪４ｂと矩形状突起４ｍとをガイド溝１０ｑに進入させ、係合突起４ｇを挿入開口１０ｉに進入させる。と同時に、ユニット用背面壁補強板金部材１０のガイド面４ｐ、４ｐにユニット用背面壁補強板金部材１０の辺縁１０ａ、１０ａを摺接させる。
【０１４２】
これにより、図３３に示すように、ユニット用背面壁補強板金部材１０の辺縁１０ａの部分が摺接リブ４ｋ、４ｎに接する。この状態で、図３３に示す矢印Ｆ２方向に撮像ユニット２を移動させると、係合爪４ｂの切り起こし部４ｅが係合爪切り起こし部用案内穴１０ｒに沿って案内され、ユニット用背面壁補強板金部材１０の係合板部１０ｎの一部が摺接リブ４ｎに接することになる。また、同時に、係合突起４ｇの切り起こし部４ｉが係合突起切り起こし部用案内穴１０ｊに沿って案内される。
【０１４３】
この係合爪４ｂの係合板部１０ｎの傾斜壁１０ｑｓに沿っての案内の際に、係合爪４ｂが板バネ２ｋを弾性変形させ、この板バネ２ｋに加わる弾性変形力によって、ユニット用背面壁補強板金部材１０が背壁部１Ｂに押し付けられる。これにより、撮像ユニット２とカメラボディ１との間での寸法誤差に基づくガタツキが吸収される。
【０１４４】
また、撮像ユニット２は、そのユニット用背面壁補強板金部材１０の板面が樹脂製の摺接リブ４ｋ、４ｎを摺動しつつ、かつ、ユニット用背面壁補強板金部材１０の辺縁１０ａ、１０ａがガイド面４ｐ、４ｐに摺接しつつ側壁部１Ｃに向かって案内されるので、ユニット用背面壁補強板金部材１０とボディ用背面壁補強板金部材４との擦過によって生じる金属製の擦過音も回避される。
【０１４５】
その板バネ２ｋへの係合爪４ｂの接触とほぼ同時に補助嵌合突起１４と補助嵌合穴２２との嵌合が開始され、この補助嵌合突起１４と補助嵌合穴２２とによって、カメラボディ側コネクタ部１２に対する撮像ユニット側コネクタ部１１の位置規制が概略なされる。
ついで、カメラボディ側コネクタ部１２と撮像ユニット側コネクタ１１とが、図２２に示すように互いに嵌合されて、カメラボディ１と撮像ユニット２とが電気的に通信可能に接続される。
【０１４６】
カメラボディ１のＭａｉｎ  ＣＰＵ２０８はカメラボディ側コネクタ部１２の所定のピン（カメラボディ側接続検知用ピン）の接続の有無を監視しており、カメラボディ側接続検知用ピンが撮像ユニット側接続検知用ピンと接続されたことを検知すると、カメラボディ側コネクタ部１２と撮像ユニット側コネクタ部１１との間の通信及び電力送信を開始する。
なお、接続検知用ピンが接続されたことを検知した場合、直ちに、カメラボディ側コネクタ部１２と撮像ユニット側コネクタ部１１との間の通信及び電力送信を開始する構成としても良い。
【０１４７】
また、接続検知用ピンが接続されたことを検知した場合、所定の時間経過後に、カメラボディ側コネクタ部１２と撮像ユニット側コネクタ部１１との間の通信又は電力送信を開始する構成としても良い。すなわち、撮像ユニット側コネクタ部１１とカメラボディ側コネクタ部１２との接続により通信可能な状態になれば良く、接続と同時に通信を行う必要はない。
【０１４８】
なお、その補助嵌合突起１４と補助嵌合穴２２との嵌合の際に、補助嵌合穴２２の底部に衝撃吸収部材２２ａが設けられているので、カメラボディ１と撮像ユニット２との衝突による衝撃が緩和される。また、その補助嵌合突起１４と補助嵌合穴２２とによってカメラボディ１に対する撮像ユニット２の前後方向のガタツキが更に緩和される。
【０１４９】
そのカメラボディ側コネクタ部１２と撮像ユニット側コネクタ部１１との接続が完了した状態の際には、図２４〜図２９に示すように、係合爪４ｂが板バネ２ｋの弾性付勢力を受けつつ半円形状凸部１０ｓ、１０ｓに当接した状態となっている。
【０１５０】
また、その補助嵌合突起１４と補助嵌合穴２２との嵌合の際とほぼ同時でかつ位置決め突起と位置決め穴６３との嵌合直前に、図１４に示す被ロック爪２０ｄの傾斜壁２０ｅがロック爪２５ｃの傾斜壁２５ｃ’に当接して傾斜壁２５ｃ’に生じる分力が、図示を略す付勢部材によるロック板２５の回動付勢力よりも大きくなると、ロック板２５は支軸２７を支点にしてその回動付勢力の作用する方向（図１４において矢印Ｆ３方向）とは反対方向に回動される。
【０１５１】
ついで、被ロック爪２０ｄがロック爪２５ｃを乗り越えると、ロック板２５はその回動付勢力により元の位置に復帰する。その結果、ロック爪２５ｃが切り欠き部２０ｃに進入し、被ロック爪２０ｄが切り欠き部２５ｂに進入する。これにより、ロック爪２５ｃと被ロック爪２０ｄとが噛み合い、撮像ユニット２はカメラボディ１に対して左右方向にロックされる。このロック部材としてのロック爪２５ｃと被ロック部材としての被ロック爪２０ｄとによって、カメラボディ１と撮像ユニット２との左右方向のガタツキが制約される。
【０１５２】
この実施例では、撮像ユニット２のカメラボディ１へのロック状態では、一対の係合爪４ｂ、４ｂが係合板部１０ｎ、１０ｎに確実に係合している。一対の係合板部１０ｎ、１０ｎは、側壁部１Ｃに形成された一対の補助嵌合突起１４、１４に対して左右方向に大きく離れた位置に形成されているので、撮像ユニット２をカメラボディ１に対して前方側に引き抜こうとしても、その引き抜きに伴う力が分散され、その引き抜きが確実に阻止される。また、その両コネクタ部１１、１２に、その引き抜きに伴う無理な力が加わるのを阻止できる。
【０１５３】
また、撮像ユニット２の右側の下辺部を手で持って、右下に向けて無理矢理に引き抜こうとしても、一対の補助嵌合突起１４、１４と一対の係合爪４ｂ、４ｂと、ロック機構２４とによってその引き抜きが阻止され、両コネクタ部１１、１２にその引き抜きに伴う無理矢理な力が加わるのが阻止される。
【０１５４】
更に、側壁部１Ｃに向かって撮像ユニット２を移動させるという１つの動作によって、ロック機構２４によるカメラボディ１と撮像ユニット２の機械的な固定と、両コネクタ部１１、１２による電気的な接続とがほぼ同時に完了するので、撮像ユニット２のカメラボディ１への装着操作を短時間で容易に行うことができる。
【０１５５】
なお、両コネクタ部１１、１２の嵌合タイミングと、両コネクタ部１１、１２の通信及び電力送受信開始タイミングとをカメラボディ１のカメラボディ側接続検知用ピンによらずに異ならせても良い。
例えば、両コネクタ部１１、１２による通信及び電力送受信の開始・終了を指示する操作部（図示を略す）をカメラボディ１に設け、この操作部による操作に応じて両コネクタ部１１、１２が通信及び電力送受信を開始・終了する構成としても良い。
【０１５６】
また、ロック板２５の位置を検出するロック状態検出部を設け、ロック状態検出部がロック板２５の所定位置にあって撮像ユニット２をロックしていることを検出した後に、両コネクタ部１１、１２が通信及び電力送受信を開始・終了する構成としても良い。
【０１５７】
更に、一対の係合爪４ｂの屈曲部４ｆが撮像ユニット２の外側から係合板部１０ｎに当接しているとき（屈曲部４ｆが係合板部１０ｎに乗り上げている場合）には、屈曲部４ｈが撮像ユニット２の外側から構成壁部分１０ｈ’に当接するので、図３４に示すように背壁部１Ｂのボディ用背面壁補強板金部材４に対して撮像ユニット２が例えば平行に浮いた状態となり、カメラボディ１に対して撮像ユニット２が斜めに傾くのが防止され、撮像ユニット２が斜めの状態でカメラボディ側コネクタ部１２と撮像ユニット側コネクタ部１１との接続が阻止される。
【０１５８】
また、この実施例では、補助嵌合突起１４と補助嵌合穴２２との位置関係がずれるので、両コネクタ部１１、１２同士の接続の阻止の確実化が図られ、その結果、両コネクタ同士１１、１２の破壊が確実に防止される。
【０１５９】
すなわち、係合突起４ｇは、撮像ユニット２を凹部１Ａに配設してカメラボディ１に対して着脱する際の撮像ユニット側コネクタ部１１とカメラボディ側コネクタ部１２との接続を図る際に、撮像ユニット２がカメラボディ１に対して不自然な姿勢角度で接続されるのを回避する不自然姿勢角度回避部材（角度規制部材）として機能する。
その係合突起４ｇは、カメラボディ１の側壁部１Ｃに形成されている開口部５２と撮像ユニット２の嵌合突出部としてのコネクタカバー部分が斜めに嵌合されるのを阻止する機能も果たす。
【０１６０】
要するに、この角度規制部材（規制部材）は、撮像ユニット側コネクタ部１１とカメラボディ側コネクタ部１２とが不自然な姿勢角度で接続されるのを回避し、規制部材が挿入開口に挿入された場合には、撮像ユニット２の背面とカメラボディ１の背壁部１Ｂとが平行に当接し、撮像ユニット２の側壁部１Ｃへ向かう向きへの移動に伴って撮像ユニット側コネクタ部１１とカメラボディ側コネクタ部１２とが接続される。
【０１６１】
また、規制部材が規制部材当接部に当接した場合には、撮像ユニット２の背面とカメラボディ１の背壁部１Ｂとが平行に当接せず、撮像ユニット側コネクタ部１１とカメラボディ側コネクタ部１２とが接続されないことになる。
なお、この角度規制部材は付勢部の有無に拘わらず撮像ユニット側コネクタ部１１とカメラボディ側コネクタ部１２とが不自然な姿勢角度で接続されるのを回避することが可能である。
【０１６２】
また、この実施例では、カメラボディ１には、撮像ユニット２がカメラボディ１に装着された状態において、撮像ユニット２をカメラボディ１の背壁部１Ｂに向けて付勢する付勢部が設けられているので、撮像ユニット２がカメラボディ１に不自然な角度で装着されるという不具合が発生する恐れがある。この実施例では、角度規制部材が設けられているので、撮像ユニット２とカメラボディ１とが不自然な角度姿勢で装着される不都合を確実に回避できる。
【０１６３】
背壁部１Ｂの背壁面からその係合突起（角度規制部材）４ｇの屈曲部４ｈまでの高さが、背壁部１Ｂの背壁面から係合爪４ｂの屈曲部４ｆまでの高さと同じかそれ以上であると、撮像ユニット２がカメラボディ１に対して不自然な姿勢角度で接続されるのを回避できる。
一方、背壁部１Ｂの背壁面からその係合突起（角度規制部材）４ｇの屈曲部４ｈまでの高さを低くすると、その係合突起４ｇに対応する係合突起案内穴１０ｈを浅く形成でき、撮像ユニット２の小型化を図ることができる。
【０１６４】
そこで、カメラボディ側コネクタ部１２により近い側に、すなわち、付勢部よりも側壁部１Ｃに近い側に、係合突起（角度規制部材）４ｇを配設することにする。このように、カメラボディ側コネクタ部１２により近い側に、係合突起（角度規制部材）４ｇを配設すると、係合突起４ｇの高さが係合爪４ｂの高さより低くとも、一対の係合爪４ｂの屈曲部４ｆが係合板部１０ｎに当接すると共に屈曲部４ｈが構成壁部分１０ｈ’に当接したときの撮像ユニット２のカメラボディ１に対する傾き角度を小さくできるので、すなわち、背壁部１Ｂのボディ用背面壁補強板金部材４に対して撮像ユニット２を平行に近くできるので、係合突起（角度規制部材）４ｇの高さを低くしても、撮像ユニット２がカメラボディ１に対して不自然な姿勢角度で接続されるのを回避できる。
【０１６５】
（カメラボディ１からの撮像ユニット２の取り外し手順）
次に、カメラボディ１から撮像ユニット２を取り外す手順について説明する。
撮像ユニット２が凹部１Ａに配置された状態で撮像ユニット２を正面から見て、ロック解除ボタン２６ｄを右方向（図１においてＦ４方向）に操作する。これにより、ロック解除操作部材２６は支軸２７を支点にしてロック解除用スプリング２８の回動付勢力に対して反対方向（図１４においてＦ３と反対方向）に回動される。
【０１６６】
すると、解除突起２６ｂがロック板２５の側面２５ｆに当接する。この解除突起２６ｂのロック解除用スプリング２８の回動付勢力に対して反対方向（図１４においてＦ３と反対方向）への回動により、ロック板２５は、支軸２７を支点にして切り欠き部２０ｃから退避する方向（後方）に回動される。これにより、ロック爪２５ｃと被ロック爪２０ｄとの噛み合いが解除される。
【０１６７】
すなわち、カメラボディ１に対する撮像ユニット２のロックが解除される。この状態で、カメラボディ１に対して撮像ユニット２を左から右方向（図１、図２において、矢印Ｆ５方向）に移動させる。すると、両コネクタ部１１、１２同士の嵌合が解除されると共に、補助嵌合突起１４と補助嵌合穴２２との嵌合も解除される。
【０１６８】
撮像ユニット２の切り欠き壁１０ｂが矩形状突起４ｍに当接するまで、撮像ユニット２を左から右方向（図１、図２において、矢印Ｆ５方向、図３３において、矢印Ｆ２と反対方向）に移動させる。その後、撮像ユニット２を背壁部１Ｂから離れる方向（図３２においてＦ１と反対方向）に移動させる。これにより、カメラボディ１に対する撮像ユニット２の取り外しが完了する。なお、ロック解除操作部材２６はロック解除ボタン２６ｄから指を離すと、ロック解除用スプリング２８の付勢力により元の位置に復帰する。また、ロック板２５も図示を略す回動付勢力により元の位置に復帰する。
【０１６９】
このように、この実施例では、撮影者が右手でグリップ部１ｃを持って、かつ、上壁部１Ｄが上側に位置し、レンズ系を前方の被写体に向けて使用する状態を通常使用状態として、この通常使用時には、使用者が操作しにくい右方向が解除操作方向となっているので、グリップ部１ｃの通常の握持状態で、使用時の誤操作に起因して撮像ユニット２がカメラボディ１から脱落する懸念を低減できる。
【０１７０】
（ボディ用背面壁補強板金部材４に係合突起案内穴１０ｈを形成し、ユニット用背面壁補強板金部材１０に係合突起４ｇを設けた撮像装置の構成）
以上の実施例では、図７Ｃに拡大して示すようにカメラボディ１のボディ用背面壁補強板金部材４に係合突起４ｇを形成し、この係合突起４ｇをガイドする係合突起案内穴１０ｈを図１１Ｃに示すように撮像ユニット２のユニット用背面壁補強板金部材１０に形成することとしたが、図３５に示すように、カメラボディ１のボディ用背面壁補強板金部材４に係合突起案内穴１０ｈを形成し、図３６に示すように、撮像ユニット２のユニット用背面壁補強板金部材１０に係合突起４ｇを形成する構成としても同様の効果を奏する。
【０１７１】
（実施例２）
図３７Ａは図１に示すカメラボディに対する撮像ユニットの装着前の状態又は抜き取り後の状態を示す説明図であって、実施例２に係わるカメラボディと撮像ユニットとに向かって右斜め方向からこのカメラボディと撮像ユニットとを見た図である。カメラボディ１の背壁部には図３７Ｂに示す形状の樹脂板３０が配設される。
【０１７２】
（樹脂板３０、撮像ユニット２、ユニット用背面壁補強板金部材１０の説明）
ここでは樹脂板３０には、図３７Ｂに詳細に示すように、その各隆起部３０ｓに樹脂製のガイド突起４ｊに近接又は隣接してその延びる方向に間隔を開けて一対の樹脂製の摺接リブ４ｋ、４ｋが形成されている。
その一対の摺接リブ４ｋ、４ｋの間にガイド突起４ｊの延びる方向に長く延びる突条逃げ用凹部４ｋ’が形成されている。この突条逃げ用凹部４ｋ’は後述するユニット用背面壁補強用板金部材１０に形成された操作品位低下防止用の突条部を退避させる役割を果たす。
筐体２Ａの背面部２ｂの位置決め隆起部２ｇ、２ｇには、図３７Ｃ、図３７Ｅに示すように、ユニット用背面壁補強板金部材１０の係合突起案内穴１０ｈを構成する開放端構成壁部が設置される段差部２ｇ’が設けられている。
【０１７３】
ユニット用背面壁補強板金部材１０の係合突起案内穴１０ｈは、図３７Ｄに拡大して示すように、ユニット用背面壁補強板金部材１０の左側面２ｃ（右辺）に向かって開放する開放端構成壁部１０ｈ”を有している。この開放端構成壁部１０ｈ”はその段差部２ｇ’、２ｇ’に載置されている。
そのユニット用背面壁補強板金部材１０の辺縁１０ａ、１０ａには、図３７Ｃ、図３７Ｄに示すように、突条部１０ａ’、１０ａ’が形成されている。この突条部１０ａ’、１０ａ’は筐体２Ａの内側（内面）から外側（外面）に向かって突出している。
【０１７４】
その背面部２ｂとユニット用背面壁補強板金部材１０との間には、左右方向に延びるガイド突起４ｊと矩形状突起４ｍと係合爪４ｂとの進入を許容するガイド溝１０ｑ、係合爪４ｂの切り起こし部４ｅを案内する係合爪切り起こし部用案内穴１０ｒが図３７Ｃ、図３７Ｅに示すように形成されている。係合突起案内穴１０ｈは係合突起案内溝２ｓに対応して配設されている。その係合突起案内穴１０ｈと係合突起案内溝２ｓとは、ここでは、筐体２Ａの左側面（端面）２ｃに向かって開放されている。
なお、符号１０ｐは背面部２ｂの一部を構成するガイド溝１０ｑの底壁である。半円形状凸部１０ｓ、１０ｓは筐体２Ａの外側から内側に向かって突出し、半円形状凸部１０ｓ、１０ｓの突出する方向と突条部１０ａ’、１０ａ’の突出方向とは互いに逆方向である。
【０１７５】
（係合突起４ｇ、係合突起案内穴１０ｈ、突条部１０ａ’、突条逃げ用凹部４ｋ’が設けられている理由）
水平方向から後述する手順でカメラボディ１に撮像ユニット２を装着するとき、一対の係合爪４ｂが凹部１Ａから突出しているので、一対の係合爪４ｂがガイド溝１０ｑに挿入されたときに、係合爪４ｂの屈曲部４ｆがガイド溝１０ｑの底壁１０ｐに当接して、底壁１０ｐを傷つけるおそれがある。
特に、筐体２Ａの全体の厚さ（Ｚ方向の厚さ）を厚くすることなく、筐体２Ａの内部のスペースの増大を図るために、背面部２ｂのガイド溝１０ｑの深さを浅くすると、より一層底壁１０ｐを傷つけるおそれがある。
【０１７６】
（突条部１０ａ’、１０ａ’と突条逃げ用凹部４ｋ’との関係）
次に、図３７Ｍを参照しつつ突条部１０ａ’、１０ａ’のガイド突起４ｊに沿って延びる方向の長さＬ３と、撮像ユニット側コネクタ部１１のボディ側コネクタ部１２への接続完了状態での突条部１０ａ’、１０ａ’の右方端部分から摺接リブ４ｎに近い側の摺接リブ４ｋまでの長さＬ２と、係合爪４ｂの右方端縁４ｂ’が傾斜壁１０ｑｓを横切る位置から係合爪４ｂの右方端縁４ｂ’が半円形状突部１０ｓに当接するまでの長さＬ１とについて説明する。
【０１７７】
なお、その図３７Ｍは、カメラボディ側コネクタ部１２と撮像ユニット側コネクタ部１１との接続が完了した状態でのボディ用背面壁補強板金部材４に対するユニット用背面壁補強板金部材１０の相対位置関係を示す説明図であって、撮像ユニット２の正面側からボディ用背面壁補強板金部材４に対するユニット用背面壁補強板金部材１０とを透視して見た図である。
【０１７８】
突条部１０ａ’、１０ａ’は、後で詳しく操作手順を説明するが、後述する手順で撮像ユニット２をカメラボディ１にセットする際に、すなわち、係合突起４ｇの屈曲部４ｈが係合突起切り起こし部用案内穴１０ｊの構成壁部分１０ｈ’に当接しないようにして撮像ユニット２をカメラボディ１にセットする際に、図３７Ｉに示す摺接リブ４ｎ及びこの摺接リブ４ｎに近い側の摺接リブ４ｋに当接することにより、係合爪４ｂの屈曲部４ｆから底壁１０ｐまでの間隙Ｈを確保するために設けられるものである。
【０１７９】
一方、突条逃げ用凹部４ｋ’は、係合突起４ｇの切り起こし部４ｉが係合突起切り起こし部用案内穴１０ｊの進入開始位置からその終端位置に至るまでの間及び係合爪４ｂの右方端縁４ｂ’が傾斜壁１０ｑｓを横切る位置から係合爪４ｂの右方端縁４ｂ’が半円形状突部１０ｓに当接するまでの間、摺接リブ４ｎに近い側の摺接リブ４ｋにユニット用背面壁補強板金部材１０の外面が接するようにするために設けられるものである。
【０１８０】
従って、少なくとも、撮像ユニット側コネクタ部１１のボディ側コネクタ部１２への接続完了状態での突条部１０ａ’、１０ａ’の右方端部分から摺接リブ４ｎに近い側の摺接リブ４ｋまでの長さＬ２は、図３７Ｍに示すように、係合爪４ｂの右方端縁４ｂ’が傾斜壁１０ｑｓを横切る位置から係合爪４ｂの右方端縁４ｂ’が半円形状突部１０ｓに当接するまでの長さＬ１と同等かこれよりも長くなければならない。
【０１８１】
長さＬ２が長さＬ１よりも短いと、撮像ユニット２をカメラボディ１から抜き取る際、係合爪４ｂと係合板部１０ｎとの係合解除前に、及び、係合突起４ｇが係合突起切り起こし部用案内穴１０ｊから離脱する前に、突条部１０ａ’、１０ａ’の右方端部分が摺接リブ４ｎに近い側の摺接リブ４ｋに乗り上げることになり、ユニット用背面壁補強板金部材１０と係合爪４ｂと係合突起４ｇとの少なくともいずれかに変形を来すことになるからである。
突条部１０ａ’、１０ａ’の長さＬ３は、撮像ユニット２をカメラボディ１にセットする際に、図３３Ｂに示す摺接リブ４ｎに近い側の摺接リブ４ｋに当接する範囲を極力大きく確保するために、長さＬ２が長さＬ１と同じかこれよりも長いという条件のもとで極力長いことが望ましい。
【０１８２】
（カメラボディ１への撮像ユニット２の装着手順）
次に、カメラボディ１に撮像ユニット２をセットする手順について以下詳細に説明する。
この実施例２では、カメラの使用者は、撮像ユニット２を手で持ち、カメラボディ１の背壁部１Ｂに設けられているボディ用背面壁補強板金部材４にユニット用背面壁補強板金部材１０が略水平になるようにカメラボディ１に対する撮像ユニット２の相対的位置関係を設定する。
【０１８３】
そして、カメラの使用者が、ユニット用背面壁補強板金部材１０の辺縁１０ａ、１０ａをガイド突起４ｊ、４ｊのガイド面４ｐ、４ｐに沿わせて、ボディ用背面壁補強板金部材４とユニット用背面壁補強板金部材１０とが平行に対面した状態で、カメラボディ１に対して撮像ユニット２をカメラボディ１の側壁部１Ｃに向かってスライド操作することによりカメラボディ１に撮像ユニット２を装着させる。
【０１８４】
すなわち、カメラボディ１の背壁部１Ｂを下側にして水平状態にする。たとえば、カメラボディ１を左手に載せて水平状態とする。カメラボディ１に対して撮像ユニット２を図３７Ｇに示す矢印Ｆ１’方向から近づけて、係合突起４ｇを開放端構成壁部１０ｈ”の近傍の挿入開口１０ｉ、係合突起案内溝２ｓに対面させ、ガイド突起４ｊ、矩形状突起４ｍ及び係合爪４ｂをガイド溝１０ｑに対面させる。
【０１８５】
ついで、撮像ユニット２を側壁部１Ｃに向かってスライド操作する。このスライド操作の途中で、図３７Ｈ、図３７Ｉ、図３７Ｊに示すように、ガイド突起４ｊのガイド面４ｐ、４ｐにユニット用背面壁補強板金部材１０の辺縁１０ａ、１０ａが摺接する。
このとき、ユニット用背面壁補強板金部材１０の辺縁１０ａ、１０ａに形成されている突条部１０ａ’、１０ａ’が摺接リブ４ｎに近い側の摺接リブ４ｋに当接するので、図３３Ｉに示すように、係合爪４ｂの屈曲部４ｆから底壁１０ｐまでの間隙Ｈが確保される。
【０１８６】
仮に、ユニット用背面壁補強板金部材１０の辺縁１０ａ、１０ａに突条部１０ａ’、１０ａ’が設けられていないものとすると、係合爪４ｂの屈曲部４ｆから底壁１０ｐまでの間隙Ｈが突条部１０ａ’、１０ａ’が設けられている場合の間隙Ｈに較べて小さくなり、カメラの使用者の何らかの操作加減で、撮像ユニット２がカメラボディ１に対して傾いて、ガイド爪４ｂの屈曲部４ｆが底壁１０ｐに勢いよく当たるようなことがあると、隙間Ｈが確保されず、底壁１０ｐが係合爪４ｂにより傷付けられ、カメラボディ１に対する撮像ユニット２の着脱操作の際の操作品位が低下するおそれがある。
【０１８７】
しかしながら、この実施例２では、ユニット用背面壁補強板金部材１０の辺縁１０ａ、１０ａに突条部１０ａ’、１０ａ’が設けられているので、着脱操作の際に、係合爪４ｂの屈曲部４ｆから底壁１０ｐまでの間隙Ｈを確保できることになり、カメラの使用者の何らかの操作加減で、撮像ユニット２がカメラボディ１に対して傾いた場合であっても底壁１０ｐが傷つけられるのを極力回避できることになる。
【０１８８】
特に、筐体２Ａの全体の厚さ（Ｚ方向の厚さ）を厚くすることなく、筐体２Ａの内部のスペースの増大を図るために、背面部２ｂのガイド溝１０ｑの深さを浅くしたとしても、カメラボディ１に対する撮像ユニット２の着脱操作の際の底壁１０ｐが傷つけられるのを回避できる。
【０１８９】
撮像ユニット２を図３７Ｈ、図３７Ｉに示す矢印Ｆ２方向に更に移動させると、突条部１０ａ’、１０ａ’が摺接リブ４ｎに近い側の摺接リブ４ｋに当接した状態でかつガイド突起４ｊのガイド面４ｐ、４ｐにユニット用背面壁補強板金部材１０の辺縁１０ａ、１０ａが摺接しつつ、係合突起４ｇが開放端構成壁部１０ｈ”の近傍の挿入開口１０ｉから奥部に存在する係合突起切り起こし部用案内穴１０ｊに向かって案内される。
【０１９０】
係合突起４ｇの端縁４ｇｓが、図３７Ｋに示すように、傾斜壁１０ｉｊの位置近傍に達すると、係合爪４ｂの右方端縁４ｂ’がユニット用背面壁補強板金部材１０の傾斜壁１０ｑｓの位置近傍に達する。すると、突条部１０ａ’、１０ａ’が図３７Ｋ、図３７Ｌに示すように、突条逃げ用凹部４ｋ’に進入する。これにより、ユニット用背面壁補強板金部材１０の外面が摺接リブ４ｎに近い側の摺接リブ４ｋ及び摺接リブ４ｎに摺接することになる。
【０１９１】
また、係合爪４ｂ、４ｂの屈曲部４ｆはガイド溝１０ｑの底壁１０ｐに近接し、係合突起４ｇの屈曲部４ｈは係合突起案内溝２ｓの底壁に近接し、屈曲部４ｆ、屈曲部４ｈとボディ用背面壁補強板金部材４との間にユニット用背面壁補強板金部材１０が進入可能な状態となる。
なお、突条部１０ａ’、１０ａ’の延びる方向の左方端部分及び右方端部分は傾斜され、これに対応して、摺接リブ４ｋ、４ｋと突条逃げ用凹部４ｋ’との間は傾斜されているので、突条部１０ａ’、１０ａ’の突条逃げ用凹部４ｋ’への進入及び退避はスムーズに行われる。
【０１９２】
係合突起４ｇの端縁４ｇｓが、図３７Ｋに示すように、傾斜壁１０ｉｊの位置近傍に達し、係合爪４ｂの右方端縁４ｂ’がユニット用背面壁補強板金部材１０の傾斜壁１０ｑｓの位置近傍に達した後、更に、図３７Ｋ、図３７Ｌに示す矢印Ｆ２方向に撮像ユニット２を移動させると、ユニット用背面壁補強板金部材１０の外面が摺接リブ４ｎに近い側の摺接リブ４ｋ及び摺接リブ４ｎに摺接した状態で、係合爪４ｂの切り起こし部４ｅが係合爪切り起こし部用案内穴１０ｒに沿って案内され、また、同時に、係合突起４ｇの切り起こし部４ｉが係合突起切り起こし部用案内穴１０ｊに沿って案内される。更に、係合爪４ｂの屈曲部４ｆが係合板部１０ｎの内面に対面し、係合突起４ｇの屈曲部４ｈがユニット用背面壁補強板金部材１０の係合突起切り起こし部用案内穴１０ｊの構成壁部分の内面に対面する。
【０１９３】
その後、実施例１と同様の操作手順を経て、係合爪４ｂの屈曲部４ｆが板バネ２ｋの弾性付勢力を受けつつ半円形状凸部１０ｓ、１０ｓに当接される。また、その係合爪４ｂの屈曲部４ｆが半円形状凸部１０ｓ、１０ｓに当接した状態では、図３７Ｍ、図３７Ｏに示すように、係合突起４ｇは係合突起切り起こし部用案内穴１０ｊの終端に位置する。
【０１９４】
このようにこの実施例２の構成の撮像装置によれば、撮像ユニット２のガイド溝１０ｑ、係合突起案内穴１０ｈが撮像ユニット側コネクタ部１１の側に向かって開放されているので、撮像ユニット２をカメラボディ１に対して水平方向にスライド操作することにより、撮像ユニット２をカメラボディ１に対して装着することができ、装着操作のより一層の容易化を図ることができる。
【０１９５】
（カメラボディ１からの撮像ユニット２の取り外し手順）
次に、カメラボディ１から撮像ユニット２を取り外し手順については、実施例１と大略同様であるが、若干説明すると、カメラボディ１に対して撮像ユニット２を左から右方向（図３７Ｍにおいて矢印Ｆ５方向）に移動させると、ユニット用背面壁補強板金部材１０の外面が樹脂製の摺接リブ４ｋ、４ｋ、４ｎに摺接しながらかつ突条部１０ａ’、１０ａ’が突条逃げ用凹部４ｋ’、４ｋ’に案内されながら、ユニット用背面壁補強板金部材１０がカメラボディ１に対して左から右に移動し、これにより、図３７Ｋに示すように、突条部１０ａ’、１０ａ’の右方端部分が右方側の摺接リブ４ｋの直前位置に達する。
【０１９６】
このとき、係合突起４ｇの端縁４ｇｓは、図３７Ｋに示すように、傾斜壁１０ｉｊから離間するか離間する直前の位置に達している。また、係合爪４ｂの右方端縁４ｂ’はユニット用背面壁補強板金部材１０の傾斜壁１０ｑｓの位置から離間するか離間する直前の位置に達する。
すなわち、係合突起４ｇが係合突起切り起こし部用案内穴１０ｊから離脱し、係合爪４ｂが係合爪切り起こし部用案内穴１０ｒから離脱した状態となる。
引き続きカメラボディ１に対して撮像ユニット２を左から右方向に移動させると、突条部１０ａ’、１０ａ’が、図３７Ｈ、図３７Ｉに示すように、摺接リブ４ｎに近い側の摺接リブ４ｋに乗り上げる。
【０１９７】
このように、ユニット用背面壁補強板金部材１０の突条部１０ａ’、１０ａ’が摺接リブ４ｎに近い側の摺接リブ４ｋに乗り上げた状態となると、係合爪４ｂの屈曲部４ｆと背面部２ｂの底壁１０ｐとの間隙Ｈが大きくなる。その結果、カメラボディ１に対する撮像ユニット２の取り外しの際に、係合爪４ｂの屈曲部４ｆにより背面部２ｂの底壁１０ｐが何らかの加減で傷つけられることが極力防止される。
【０１９８】
この実施例２の場合、撮像ユニット２のガイド溝１０ｑ、係合突起案内穴１０ｈが撮像ユニット側コネクタ部１１の側に向かって開放されているので、カメラボディ１に対して撮像ユニット２をそのまま左から右の方向に平行にスライド操作させることにより撮像ユニット２をカメラボディ１から取り外すことができる。
従って、この実施例２によれば、装着操作のみならず抜き取り操作もより一層の容易化を図ることができる。
【０１９９】
（ボディ用背面壁補強板金部材４に係合突起案内穴を形成し、ユニット用背面壁補強板金部材１０に係合突起４ｇを設けた撮像装置の構成）
以上の実施例では、図３７Ａに示すようにカメラボディ１のボディ用背面壁補強板金部材４に係合突起４ｇを形成し、この係合突起４ｇを案内する係合突起案内穴１０ｈを撮像ユニット２のユニット用背面壁補強板金部材１０に形成することとしたが、図３７Ｏに示すように撮像ユニット２のユニット用背面壁補強板金部材１０に係合突起４ｇを形成する構成としても同様の効果を奏する。
【０２００】
更に、この実施例では、突条部１０ａ’と突条逃げ用凹部４ｋ’を設けているが、必ずしも、突条部１０ａ’と突条逃げ用凹部４ｋ’とはなくても良いものであり、また、突条部１０ａ’、１０ａ’と突条逃げ用凹部４ｋ’とを設ける構成とする場合には、カメラボディ１の背壁部１Ｂに突条部１０ａ’、１０ａ’を設け、撮像ユニット２の背面部１Ｂに突条逃げ用凹部４ｋ’を設ける構成とすることもできる。
【０２０１】
（その他の構成１）
以上説明したこれらの実施例では、カメラボディ１にガイド突起４ｊを設け、撮像ユニット２にガイド溝を設ける構成としたが、カメラボディ１にガイド溝を設け、撮像ユニット２にガイド突起４ｊを設ける構成としても良い。なお、この場合、係合爪４ｂは撮像ユニット２に形成される。
【０２０２】
また、これらの実施例では、撮像ユニット２に係合板部１０ｎ、板バネ２ｋ、係合爪切り起こし部用案内穴１０ｒを設け、カメラボディ１に係合爪４ｂを設けているが、撮像ユニット２に係合爪４ｂを設け、カメラボディ１に係合板部１０ｎ、板バネ２ｋ、係合爪切り起こし部用案内穴１０ｒを設ける構成としても良い。
【０２０３】
更に、これらの実施例では、カメラボディ１に補助嵌合突起１４を設け、撮像ユニット２に補助嵌合穴２２を設けているが、カメラボディ１に補助嵌合穴２２を設け、撮像ユニット２に補助嵌合突起１４を設ける構成としても良い。
また、これらの実施例では、係合爪切り起こし部用案内穴１０ｒ、ガイド突起４ｊ、係合板部１０ｎ、ガイド溝、補助嵌合突起１４、補助嵌合穴２２を２個づつ設け、１個の板バネ２ｋに傾斜弾性板部ｋ５、ｋ６と当接板部ｋ７とからなる２個の付勢部を形成しているが、これらの個数は３個以上でも良い。
【０２０４】
また、これらの実施例では、ロック解除操作部材２６は、ロック解除ボタン２６ｄ（解除レバーともいう）が支軸２７を支点にして回動する構成としたが、ロック解除ボタン２６ｄを押しボタン式の構成やスライド式の構成とすることもできる。
【０２０５】
更には、これらの実施例では、撮像ユニット側コネクタ部１１が撮像ユニット２の左側面２ｃから突出し、カメラボディ１の側壁部１Ｃに形成した開口部５２内にカメラボディ側コネクタ部１２を設ける構成としているが、撮像ユニット２の左側面２ｃに開口部５２を設け、その開口部５２内に撮像ユニット側コネクタ部１１を配設し、カメラボディ側コネクタ部１２をカメラボディ１の側壁部１Ｃから突出させる構成とすることもできる。
すなわち、撮像ユニット２の左側面２ｃと、カメラボディ１の側壁部１Ｃとのいずれか一方からコネクタ部が突出し、撮像ユニット２の左側面２ｃと、カメラボディ１の側壁部１Ｃとのいずれか他方に開口が設けられていれば良い。
【０２０６】
また、係合突起（角度規制部材）４ｇは、撮像ユニット２がカメラボディ１の凹部１Ａに配設されかつカメラボディ側コネクタ部１２と撮像ユニット側コネクタ部１１とが接続されている状態において、側壁部１Ｃと付勢部との間に配置されていると、係合突起（角度規制部材）４ｇの高さが低い場合でも、第１方向に対して直交する方向（Ｙ方向）回りの角度規制を図ることができる。
【０２０７】
また、係合突起（角度規制部材）４ｇは、撮像ユニット２がカメラボディ１の凹部１Ａに配設されかつカメラボディ側コネクタ部１２と撮像ユニット側コネクタ部１１とが接続されている状態において、係合突起（角度規制部材）４ｇが付勢部よりも側壁部１Ｃに近い位置に配置されていても、同様の角度規制を図ることができる。
【０２０８】
係合突起（角度規制部材）４ｇは、撮像ユニット２がカメラボディ１の凹部１Ａに配設されかつカメラボディ側コネクタ部１２と撮像ユニット側コネクタ部１１とが接続されている状態において、係合突起（角度規制部材）４ｇが、側壁部１Ｃに対して撮像ユニット２が接近又は離脱する第１方向（Ｘ方向）に対して垂直な方向で見てカメラボディ側コネクタ部１２の略中央に配置されていると、撮像ユニット２の第１方向（Ｘ方向）回りの角度規制を図ることができる。
【０２０９】
係合突起（角度規制部材）４ｇは、撮像ユニット２がカメラボディ１の凹部１Ａに配設されかつカメラボディ側コネクタ部１２と撮像ユニット側コネクタ部１１とが接続されている状態において、係合突起（角度規制部材）４ｇが、側壁部１Ｃに対して撮像ユニット２が接近又は離脱する第１方向（Ｘ方向）に対して垂直な方向（Ｙ方向）で見て凹部１Ａの略中央に配置されていると、撮像ユニット２の第１方向（Ｘ方向）回りの角度規制をより一層図ることができる。
【０２１０】
付勢部が、側壁部１Ｃに対して撮像ユニット２が接近又は離脱する第１方向（Ｘ方向）に対して垂直な方向に間隔を設けて配置された第１付勢部と第２付勢部とを含み、係合突起（角度規制部材）４ｇが、第１方向（Ｘ方向）に対して略垂直な方向（Ｙ方向）で見て、第１係合爪４ｂと第２係合爪４ｂとの間の略中央に配置されていると、第１係合爪４ｂと第２係合爪４ｂとのいずれか一方の係合に不具合が生じた場合でも、撮像ユニット２の第１方向（Ｘ方向）回りの角度規制をより一層図ることができる。
【０２１１】
ガイド機構が、カメラボディ側ガイド機構と撮像ユニット側ガイド機構とからなり、撮像ユニット側ガイド機構は、撮像ユニット２の背面部２ｂに設けられて第１方向に対応する方向に延伸するガイド溝を含み、カメラボディ側ガイド機構は、カメラボディ１の背壁部１Ｂに設けられてガイド溝に挿入されるガイド突起を含み、ガイド突起は第１方向に対して垂直な方向に間隔を開けて配置された第１ガイド突起と第２ガイド突起とを含み、撮像ユニット２がカメラボディ１の凹部１Ａに配設され、カメラボディ側コネクタ部１２と撮像ユニット側コネクタ部１１とが接続されている状態において、
係合突起（角度規制部材）４ｇは、第１方向に対して垂直な方向で見て第１ガイド突起と第２ガイド突起との間に位置している。
【０２１２】
（その他の構成２）
以上、この発明の実施の形態では、カメラボディ１に対して図３３に示す矢印Ｆ２方向又はその反対方向に撮像ユニット２を移動させる際に、カメラボディ１の背壁部１Ｂ（ボディ用背面壁補強板金部材４）に撮像ユニット２の背面部２ｂ（ユニット用背面壁補強板金部材１０）を当接させて摺動させる構成としたが、カメラボディ１の上壁部１Ｄ（ボディ用上面壁補強板金部材５）と撮像ユニット２の筐体２Ａの上面２ｄ（包囲壁２ｘ又はユニット用上壁面補強板金部材２０）とを当接させて、矢印Ｆ２方向又はその反対方向に摺動させる構成としても良い。
【０２１３】
このような構成とすると、カメラボディ１の上壁部１Ｄ（ボディ用上面壁補強板金部材５）と撮像ユニット２の筐体２Ａの上面２ｄ（包囲壁２ｘ又はユニット用上壁面補強板金部材２０）とは、第1の方向に撮像ユニット２を案内するガイド機構として機能する。
また、ガイド突起４ｊ、矩形状突起４ｍ及び係合爪４ｂをカメラボディ１の上壁部１Ｄに設け、ガイド溝１０ｐ’、切り欠き壁１０ｂ、ガイド溝１０ｑ及び係合爪切り起こし部用案内穴１０ｒを筐体２Ａの上面２ｄに設けても良い。
このような構成とした場合、カメラボディ１の上壁部１Ｄに設けられたガイド突起４ｊ、矩形状突起４ｍ及び係合爪４ｂと、撮像ユニット２の上面２ｄに設けられたガイド溝、切り欠き壁１０ｂ及び係合爪切り起こし部用案内穴１０ｒとが、第1の方向に撮像ユニット２を案内するガイド機構として機能する。
【０２１４】
また、逆に、ガイド突起４ｊ、矩形状突起４ｍ及び係合爪４ｂを撮像ユニット２の上面２ｂに設け、ガイド溝、切り欠き壁１０ｂ及び係合爪切り起こし部用案内穴１０ｒをカメラボディ１の上壁部１Ｄに設けても良い。
このように構成すると、撮像ユニット２の上面２ｄに設けられたガイド突起４ｊ、矩形状突起４ｍ及び係合爪４ｂと、カメラボディ１の上壁部１Ｄに設けられたガイド溝、切り欠き壁１０ｂ及び係合爪切り起こし部用案内穴１０ｒとが、第1の方向に撮像ユニット２を案内するガイド機構として機能する。
【０２１５】
このように、カメラボディ１の上壁部１Ｄと撮像ユニット２の上面２ｄとにガイド機構の一部を配設することにより、撮像ユニット２とカメラボディ１との間の上下方向のガタツキをより一層抑制することができることになる。
更に、背壁部１Ｂと上壁部１Ｄとの両方にこれらのガイド機構が設けられていても良い。
【０２１６】
（その他の構成３）
以上、発明の実施の形態について説明したが、本発明は、これに限られるものではなく、例えば、図３８〜図４１に示すように、カメラボディ１の上壁部１Ｄの上面１ｆにストロボ装置と電子ビューファインダー１ｇとを装着可能なホットシュー部５ｔと、電子ビューファインダー接続端子５ｓと、ポップアップ式のストロボ発光装置５ｘと、モードダイアルスイッチ５ｈとを設ける構成としても良い。なお、図３８に示す電子ビューファインダー接続端子５ｓは雌型コネクタから構成されている。この電子ビューファインダー接続端子５ｓには図４０に示す雄型コネクタとしての電子ビューファインダー接続端子５ｓ’が嵌合される。
【０２１７】
なお、その図３８〜図４１において、図３８はカメラボディ１を背面側から目視した状態であって電子ビューファインダー１ｇのカメラボディ１への装着前の状態を示し、図３９はカメラボディ１を背面側から目視した状態であって電子ビューファインダー１ｇのカメラボディ１への装着状態を示し、図４０はカメラボディ１を正面側から目視した状態であって電子ビューファインダー１ｇのカメラボディ１への装着前の状態を示し、図４１はカメラボディ１を正面から目視した状態であって電子ビューファインダー１ｇのカメラボディ１への装着状態を示している。
【０２１８】
以上、各実施例について説明したが、本発明に係わる撮像装置は、これらの各実施例の構成を適宜組み合わせて形成できるものである。
【符号の説明】
【０２１９】
１…カメラボディ１
２…撮像ユニット
１Ａ…凹部
１Ｂ…背壁部
１Ｃ…側壁部
１Ｄ…上壁部
２Ａ…筐体
４…ボディ用背面壁補強板金部材
１０…ユニット用背面壁補強板金部材
４ｇ…係合突起
【先行技術文献】
【特許文献】
【０２２０】
【特許文献１】特開２００５−３５４１７７号公報
【図１】
0005445038.tif 000002
【図２】
0005445038.tif 000003
【図３】
0005445038.tif 000004
【図４】
0005445038.tif 000005
【図５Ａ】
0005445038.tif 000006
【図５Ｂ】
0005445038.tif 000007
【図５Ｃ】
0005445038.tif 000008
【図６】
0005445038.tif 000009
【図７Ａ】
0005445038.tif 000010
【図７Ｂ】
0005445038.tif 000011
【図７Ｃ】
0005445038.tif 000012
【図８】
0005445038.tif 000013
【図９】
0005445038.tif 000014
【図１０Ａ】
0005445038.tif 000015
【図１０Ｂ】
0005445038.tif 000016
【図１１Ａ】
0005445038.tif 000017
【図１１Ｂ】
0005445038.tif 000018
【図１１Ｃ】
0005445038.tif 000019
【図１２】
0005445038.tif 000020
【図１３】
0005445038.tif 000021
【図１４】
0005445038.tif 000022
【図１５】
0005445038.tif 000023
【図１６】
0005445038.tif 000024
【図１７】
0005445038.tif 000025
【図１８】
0005445038.tif 000026
【図１９】
0005445038.tif 000027
【図２０】
0005445038.tif 000028
【図２１】
0005445038.tif 000029
【図２２】
0005445038.tif 000030
【図２３】
0005445038.tif 000031
【図２４】
0005445038.tif 000032
【図２５】
0005445038.tif 000033
【図２６】
0005445038.tif 000034
【図２７】
0005445038.tif 000035
【図２８】
0005445038.tif 000036
【図２９】
0005445038.tif 000037
【図３０】
0005445038.tif 000038
【図３１】
0005445038.tif 000039
【図３２】
0005445038.tif 000040
【図３３】
0005445038.tif 000041
【図３４】
0005445038.tif 000042
【図３５】
0005445038.tif 000043
【図３６】
0005445038.tif 000044
【図３７Ａ】
0005445038.tif 000045
【図３７Ｂ】
0005445038.tif 000046
【図３７Ｃ】
0005445038.tif 000047
【図３７Ｄ】
0005445038.tif 000048
【図３７Ｅ】
0005445038.tif 000049
【図３７Ｆ】
0005445038.tif 000050
【図３７Ｇ】
0005445038.tif 000051
【図３７Ｈ】
0005445038.tif 000052
【図３７Ｉ】
0005445038.tif 000053
【図３７Ｊ】
0005445038.tif 000054
【図３７Ｋ】
0005445038.tif 000055
【図３７Ｌ】
0005445038.tif 000056
【図３７Ｍ】
0005445038.tif 000057
【図３７Ｎ】
0005445038.tif 000058
【図３７Ｏ】
0005445038.tif 000059
【図３８】
0005445038.tif 000060
【図３９】
0005445038.tif 000061
【図４０】
0005445038.tif 000062
【図４１】
0005445038.tif 000063